(57)【要約】  本開示は、能力管理方法及び通信装置を提供する。第１の通信装置に適用される能力管理方法は、要求された端末能力を指示する第１の指示情報を含む端末能力要求情報を受信することと、前記第１の指示情報に基づいて、端末能力の第１の関連情報を送信することと、を含む。
2021533625.tif 000002
【特許請求の範囲】
【請求項１】
第１の通信装置に適用される能力管理方法であって、
要求された端末能力を指示する第１の指示情報を含む端末能力要求情報を受信することと、
前記第１の指示情報に基づいて、端末能力の第１の関連情報を送信することと、を含む能力管理方法。
【請求項２】
前記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
前記第２の能力識別情報は、前記第１の能力識別情報のうち、マッピングされる端末能力が存在しない能力識別情報であり、前記第３の能力識別情報は、前記第１の能力識別情報のうち、マッピングされる端末能力が存在する能力識別情報である、請求項１に記載の能力管理方法。
【請求項３】
前記端末能力の第１の関連情報は、第１の能力識別情報によってマッピングされる端末能力と、第２の能力識別情報によってマッピングされる端末能力と、端末の端末能力とのうちの少なくとも１つを含む、請求項１に記載の能力管理方法。
【請求項４】
前記端末能力の第１の関連情報は、前記第１の能力識別情報と、前記第２の能力識別情報と、端末の端末能力によってマッピングされる能力識別情報とのうちの少なくとも１つをさらに含む、請求項３に記載の能力管理方法。
【請求項５】
前記第１の指示情報が第１の能力識別情報を含む場合、前記端末能力の第１の関連情報は、前記第１の能力識別情報によってマッピングされる端末能力と、前記第１の能力識別情報とのうちの少なくとも１つを含み、及び／又は
前記第１の指示情報が第１の能力識別情報及び第３の能力識別情報を含み、及び／又は前記第１の指示情報が第２の能力識別情報を含み、及び／又は前記指示情報が第３の能力識別情報を含む場合、前記端末能力の第１の関連情報は、第２の能力識別情報によってマッピングされる端末能力と、前記第２の能力識別情報とを少なくとも含み、及び／又は
前記第１の指示情報がヌル値及び／又は第２の指示情報を含む場合、前記端末能力の第１の関連情報は、端末の端末能力と、端末の端末能力によってマッピングされる能力識別情報と、第１の能力識別情報と、前記第１の能力識別情報によってマッピングされる端末能力とのうちの少なくとも１つを含む、請求項２に記載の能力管理方法。
【請求項６】
第２の通信装置に適用される能力管理方法であって、
第１の能力識別情報を含む第１の情報を取得することと、
前記第１の能力識別情報に基づいて、要求された端末能力を指示する第１の指示情報を含む端末能力要求情報を送信することと、を含む能力管理方法。
【請求項７】
前記の前記第１の能力識別情報に基づいて、端末能力要求情報を送信することは、
所定の条件を満たす場合、前記第１の能力識別情報に基づいて、端末能力要求情報を送信することを含み、
前記の所定の条件を満たすことは、
前記第１の能力識別情報によってマッピングされる端末能力が存在しないことと、
前記第１の能力識別情報のうちの第２の能力識別情報によってマッピングされる端末能力が存在しないこととのうちの少なくとも１つを含む、請求項６に記載の能力管理方法。
【請求項８】
前記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
前記第３の能力識別情報は、前記第１の能力識別情報のうち、マッピングされる端末能力が存在する能力識別情報である、請求項６に記載の能力管理方法。
【請求項９】
前記の第１の能力識別情報に基づいて、端末能力要求情報を送信することの後には、
前記第１の指示情報に基づいて返された端末能力の第１の関連情報を受信することをさらに含む、請求項６に記載の能力管理方法。
【請求項１０】
第３の通信装置に適用される能力管理方法であって、
第４の能力識別情報と、第５の能力識別情報とのうちの１つを含む第２の情報を送信することを含み、
前記第４の能力識別情報にはマッピングされる端末能力が存在し、前記第５の能力識別情報にはマッピングされる端末能力が存在しない、能力管理方法。
【請求項１１】
第４の通信装置に適用される能力管理方法であって、
第４の能力識別情報と、第５の能力識別情報とのうちの１つを含む第２の情報を取得することと、
前記第２の情報に基づいて、端末能力の第２の関連情報を送信することと、を含み、
前記第４の能力識別情報にはマッピングされる端末能力が存在し、前記第５の能力識別情報にはマッピングされる端末能力が存在しない、能力管理方法。
【請求項１２】
前記端末能力の第２の関連情報は、能力識別情報と、端末能力とのうちの少なくとも１つを含む、請求項１１に記載の能力管理方法。
【請求項１３】
前記端末能力の第２の関連情報は、
前記第４の能力識別情報、及び／又は
前記第５の能力識別情報及び前記第５の能力識別情報によってマッピングされる端末能力を含む、請求項１１に記載の能力管理方法。
【請求項１４】
前記の第２の情報に基づいて、端末能力の第２の関連情報を送信することの前には、
第１の能力識別情報を取得することをさらに含む、請求項１１に記載の能力管理方法。
【請求項１５】
第１の条件を満たす場合、前記端末能力の第２の関連情報は、前記第１の能力識別情報及び前記第１の能力識別情報によってマッピングされる端末能力を含むことと、
ここで、前記第１の条件は、第１の能力識別情報が第４の能力識別情報に属さない条件と、第１の能力識別情報が第５の能力識別情報に属する条件とのうちの少なくとも１つを含み、
第２の条件を満たす場合、前記端末能力の第２の関連情報は、前記第１の能力識別情報を含むことと、
ここで、前記第２の条件は、第１の能力識別情報が第４の能力識別情報に属する条件と、第１の能力識別情報が第５の能力識別情報に属さない条件とのうちの少なくとも１つを含み、
第３の条件を満たす場合、前記端末能力の第２の関連情報は、第３の能力識別情報、第２の能力識別情報及び前記第２の能力識別情報によってマッピングされる端末能力を含むことと、
ここで、前記第３の条件は、第３の能力識別情報が第４の能力識別情報に属する条件と、第３の能力識別情報が第５の能力識別情報に属さない条件と、第２の能力識別情報が第４の能力識別情報に属さない条件と、第２の能力識別情報が第５の能力識別情報に属する条件とのうちの少なくとも１つを含み、
のうちの少なくとも１つを含み、
前記第２の能力識別情報及び前記第３の能力識別情報は、第１の能力識別情報に属する、請求項１４に記載の能力管理方法。
【請求項１６】
要求された端末能力を指示する第１の指示情報を含む端末能力要求情報を受信する第１の受信モジュールと、
前記第１の指示情報に基づいて、端末能力の第１の関連情報を送信する第１の送信モジュールと、を含む第１の通信装置。
【請求項１７】
第１の能力識別情報を含む第１の情報を取得する第１の取得モジュールと、
前記第１の能力識別情報に基づいて、要求された端末能力を指示する第１の指示情報を含む端末能力要求情報を送信する第２の送信モジュールと、を含む第２の通信装置。
【請求項１８】
第４の能力識別情報と、第５の能力識別情報とのうちの１つを含む第２の情報を送信する第３の送信モジュールを含み、
前記第４の能力識別情報にはマッピングされる端末能力が存在し、前記第５の能力識別情報にはマッピングされる端末能力が存在しない、第３の通信装置。
【請求項１９】
第４の能力識別情報と、第５の能力識別情報とのうちの１つを含む第２の情報を取得する第２の取得モジュールと、
前記第２の情報に基づいて、端末能力の第２の関連情報を送信する第４の送信モジュールと、を含み、
前記第４の能力識別情報にはマッピングされる端末能力が存在し、前記第５の能力識別情報にはマッピングされる端末能力が存在しない、第４の通信装置。
【請求項２０】
プロセッサと、メモリと、前記メモリに記憶され、前記プロセッサで実行可能なコンピュータプログラムとを含む通信装置であって、
前記コンピュータプログラムが前記プロセッサによって実行されると、請求項１〜５のいずれか１項に記載の能力管理方法、又は請求項６〜９のいずれか１項に記載の能力管理方法、又は請求項１０に記載の能力管理方法、又は請求項１１〜１５のいずれか１項に記載の能力管理方法が実現される、通信装置。
【請求項２１】
コンピュータプログラムが記憶されているコンピュータ読み取り可能な記憶媒体であって、
前記コンピュータプログラムがプロセッサによって実行されると、請求項１〜５のいずれか１項に記載の能力管理方法、又は請求項６〜９のいずれか１項に記載の能力管理方法、又は請求項１０に記載の能力管理方法、又は請求項１１〜１５のいずれか１項に記載の能力管理方法が実現される、コンピュータ読み取り可能な記憶媒体。
【発明の詳細な説明】
【技術分野】
【０００１】
（関連出願の相互参照）
本願は、２０１８年８月１日に提出された中国特許出願第２０１８１０８６７２２０．２号の優先権を主張するものであり、その全ての内容は参照により本願に組み込まれるものとする。
【０００２】
本開示の実施例は、通信の技術分野に関し、特に、能力管理方法及び通信装置に関する。
【背景技術】
【０００３】
ネットワークシステムの進化に伴い、端末がサポートする必要のある能力が多くなり、端末とネットワーク側装置との間で効率的な同期をとるために、端末がネットワークに送信する必要のある能力も多くなるため、能力送信によるエアインタフェースの負荷が大きくなってきている。
【０００４】
しかしながら、どのように端末能力送信によるオーバーヘッドを低減するかは明確ではない。
【発明の概要】
【課題を解決するための手段】
【０００５】
本開示の実施例は、関連する端末能力送信によるオーバーヘッドが大きいという問題を解決するために、能力管理方法及び通信装置を提供する。
【０００６】
上記問題を解決するために、本開示は、以下のように実現される。
【０００７】
第１の態様では、本開示の実施例に係る、第１の通信装置に適用される能力管理方法は、
要求された端末能力を指示する第１の指示情報を含む端末能力要求情報を受信することと、
前記第１の指示情報に基づいて、端末能力の第１の関連情報を送信することと、を含む。
【０００８】
第２の態様では、本開示の実施例に係る、第２の通信装置に適用される能力管理方法は、
第１の能力識別情報を含む第１の情報を取得することと、
前記第１の能力識別情報に基づいて、要求された端末能力を指示する第１の指示情報を含む端末能力要求情報を送信することと、を含む。
【０００９】
第３の態様では、本開示の実施例に係る、第３の通信装置に適用される能力管理方法は、
第４の能力識別情報と、第５の能力識別情報とのうちの１つを含む第２の情報を送信することを含み、
前記第４の能力識別情報にはマッピングされる端末能力が存在し、前記第５の能力識別情報にはマッピングされる端末能力が存在しない。
【００１０】
第４の態様では、本開示の実施例に係る、第４の通信装置に適用される能力管理方法は、
第４の能力識別情報と、第５の能力識別情報とのうちの１つを含む第２の情報を取得することと、
前記第２の情報に基づいて、端末能力の第２の関連情報を送信することと、を含み、
前記第４の能力識別情報にはマッピングされる端末能力が存在し、前記第５の能力識別情報にはマッピングされる端末能力が存在しない。
【００１１】
第５の態様では、本開示の実施例に係る第１の通信装置は、
要求された端末能力を指示する第１の指示情報を含む端末能力要求情報を受信する第１の受信モジュールと、
前記第１の指示情報に基づいて、端末能力の第１の関連情報を送信する第１の送信モジュールと、を含む。
【００１２】
第６の態様では、本開示の実施例に係る第２の通信装置は、
第１の能力識別情報を含む第１の情報を取得する第１の取得モジュールと、
前記第１の能力識別情報に基づいて、要求された端末能力を指示する第１の指示情報を含む端末能力要求情報を送信する第２の送信モジュールと、を含む。
【００１３】
第７の態様では、本開示の実施例に係る第３の通信装置は、
第４の能力識別情報と、第５の能力識別情報とのうちの１つを含む第２の情報を送信する第８の送信モジュールを含み、
前記第４の能力識別情報にはマッピングされる端末能力が存在し、前記第５の能力識別情報にはマッピングされる端末能力が存在しない。
【００１４】
第８の態様では、本開示の実施例に係る第４の通信装置は、
第４の能力識別情報と、第５の能力識別情報とのうちの１つを含む第２の情報を取得する第２の取得モジュールと、
前記第２の情報に基づいて、端末能力の第２の関連情報を送信する第４の送信モジュールと、を含み、
前記第４の能力識別情報にはマッピングされる端末能力が存在し、前記第５の能力識別情報にはマッピングされる端末能力が存在しない。
【００１５】
第９の態様では、本開示の実施例に係る通信装置は、
プロセッサと、メモリと、前記メモリに記憶され、前記プロセッサで実行可能なコンピュータプログラムとを含み、
前記コンピュータプログラムが前記プロセッサによって実行されると、第１の態様に記載の能力管理方法、又は第２の態様に記載の能力管理方法、又は第３の態様に記載の能力管理方法、又は第４の態様に記載の能力管理方法が実現される、通信装置。
【００１６】
第１０の態様では、本開示の実施例に係る、コンピュータプログラムが記憶されているコンピュータ読み取り可能な記憶媒体は、
前記コンピュータプログラムが前記プロセッサによって実行されると、第１の態様に記載の能力管理方法、又は第２の態様に記載の能力管理方法、又は第３の態様に記載の能力管理方法、又は第４の態様に記載の能力管理方法が実現される、コンピュータ読み取り可能な記憶媒体。
【００１７】
本開示の実施例では、第１の通信装置は、端末能力要求情報を受信すると共に、端末能力要求情報に含まれる、要求された端末能力を指示する第１の指示情報に基づいて、端末能力の第１の関連情報を送信することにより、端末能力送信によるオーバーヘッドを低減することができる一方で、端末能力識別子によってマッピングされる端末能力の信頼性及び正確度を保証することができる。
【００１８】
本開示の実施例に係る技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【図面の簡単な説明】
【００１９】
【図１】本開示の実施例に係る能力管理方法のフローチャートその１である。
【図２】本開示の実施例に係る能力管理方法のフローチャートその２である。
【図３】本開示の実施例に係る能力管理方法のフローチャートその３である。
【図４】本開示の実施例に係る能力管理方法のフローチャートその４である。
【図５】本開示の実施例に係る能力管理方法のフローチャートその５である。
【図６】本開示の実施例に係る能力管理方法のフローチャートその６である。
【図７】本開示の実施例に係る能力管理方法のフローチャートその７である。
【図８】本開示の実施例に係る能力管理方法のフローチャートその８である。
【図９】本開示の実施例に係る能力管理方法のフローチャートその９である。
【図１０】本開示の実施例に係る能力管理方法のフローチャートその１０である。
【図１１】本開示の実施例に係る通信装置の構成図その１である。
【図１２】本開示の実施例に係る通信装置の構成図その２である。
【図１３】本開示の実施例に係る通信装置の構成図その３である。
【図１４】本開示の実施例に係る通信装置の構成図その４である。
【図１５】本開示の実施例に係る通信装置の構成図その５である。
【発明を実施するための形態】
【００２０】
端末能力送信によるオーバーヘッドを低減するために、本開示の実施例では、端末能力を指示できる情報を設定することができる。端末能力を指示できる情報は、端末能力指示情報と呼ばれ、端末能力指示情報は、端末能力を指示する端末能力識別情報であってよい。つまり、端末能力識別情報と端末能力との間に一対一のマッピング関係が存在する。
【００２１】
このように、端末は、端末能力を指示する識別情報のみをネットワーク側装置に送信すれば、ネットワーク側装置は端末能力を指示する識別情報によりマッピングして端末能力を取得することができるため、端末が端末能力を送信する必要がある場合に比べて、端末能力送信によるオーバーヘッドを低減することができる。
【００２２】
しかしながら、ネットワーク側装置がどのように端末能力を取得するかはまだ明らかではない。１つの方式は、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ、運用管理及び保守）設定により端末能力を取得することである。しかしながら、ＯＡＭ設定による端末能力の取得には、少なくとも以下の問題１〜問題２がある。
【００２３】
問題１、毎年世界中に少なくとも数百種の端末機種を生成する。同一の端末機種では、端末は、異なるオペレータネットワーク、メインカード、サブカードなどに応じて様々な端末能力を派生する可能性があり、ＯＡＭのバックグラウンド設定が煩雑となり、かつ設定が間違いやすくなってしまう。設定が間違っていると、端末がネットワークにアクセスできなくなることを引き起こす。
【００２４】
問題２、他の国からローミングした端末については、オペレータは、端末の能力情報を事前にバックグラウンドで取得することができない。
【００２５】
したがって、端末能力送信によるオーバーヘッドを節約する前提の下で、どのように端末能力を効果的で正確に取得して管理するかということは、本開示が解決しようとする問題である。
【００２６】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得られる他の全ての実施例は、いずれも本開示の保護範囲に属するものである。
【００２７】
本願における用語「第１」、「第２」などは、類似した対象を区別するためのものであり、必ずしも特定の順序又は優先順位を説明するためのものではない。また、用語「含む」及び「備える」並びにそれらの任意の変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、製品又は装置に固有の、他のステップ又はユニットを含んでよい。また、本願において「及び／又は」を用いるのは、接続対象の少なくとも１つを表し、例えば、Ａ及び／又はＢ及び／又はＣは、Ａが単独で存在し、Ｂが単独で存在し、Ｃが単独で存在し、Ａ及びＢが同時に存在し、Ｂ及びＣが同時に存在し、Ａ及びＣが同時に存在し、Ａ、Ｂ及びＣが同時に存在するという７種類の場合を表す。
【００２８】
説明を容易にするために、以下、本開示の実施例に係るいくつかの内容を説明する。
【００２９】
一、端末能力の識別情報（単に、能力識別情報と略称できる）について
【００３０】
端末能力識別情報は、端末能力を識別するために用いることができる。
【００３１】
本開示の実施例では、端末能力識別情報と端末能力との間にマッピング関係が存在するため、端末能力識別情報により端末能力をマッピングすることができる。具体的には、端末能力識別情報は、一組の端末能力又は端末の端末能力をマッピングすることができる。端末能力識別情報の大きさが端末能力より小さいため、端末能力の送信に比べて、端末能力識別情報の送信は、能力シグナリングを節約し、最適化するという効果を達成することができる。
【００３２】
端末とネットワーク側装置は、いずれも端末能力識別情報と端末能力とのマッピング関係を予め取得することができることを理解されたい。実際の応用において、上記マッピング関係がプロトコルに予め定義することができるため、端末及びネットワーク側装置は、いずれもプロトコルから上記マッピング関係を読み取ることができ、当然のことながら、ある実施例では、上記マッピング関係は、端末によって予め生成されてネットワーク側装置に送信されてよく、具体的には、実際の必要に応じて決定され、本開示の実施例はこれを限定しない。
【００３３】
１つの端末は、１つ以上の端末能力識別情報を有してよい。
【００３４】
端末能力識別情報は、端末のメーカー情報と、端末機種情報と、端末のソフトウェアバージョン情報と、能力指示補助情報（又は補足情報と呼ぶ）と、能力識別子のタイプ情報と、端末能力の識別子と、ハッシュ関数により生成された短縮値とのうちの少なくとも１つを含んでよい。
【００３５】
一実施態様では、端末能力識別情報は、抽象的な端末能力識別子である。端末能力識別子は、端末のメーカー情報と、端末能力識別子のタイプ情報とのうちの少なくとも１つを含んでよい。
【００３６】
別の実施形態では、端末能力識別情報は、端末機種情報と、メーカー情報と、能力指示補助情報とから構成される。
【００３７】
端末機種情報は、以下のＴＡＣ及びＳＶＮのうちの少なくとも１つを含んでよい。
【００３８】
ＴＡＣ（Ｔｙｐｅ  Ａｌｌｏｃａｔｉｏｎ  Ｃｏｄｅ、タイプアロケーションコード）は、端末のブランドと機種を区別するコードである。ＴＡＣにより、同一の端末機種を一意に識別することができ、また同一の端末機種の端末能力は常に同じである。
【００３９】
ＳＶＮ（Ｓｏｆｔｗａｒｅ  Ｖｅｒｓｉｏｎ  Ｎｕｍｂｅｒ、ソフトウェアバージョン番号）は、同一の機種の携帯電話の出荷時に使用される異なるソフトウェアバージョンを区別するものである。異なるＳＶＮは、異なる端末能力に対応することができる。
【００４０】
能力指示補助情報は、メイン／サブカード指示情報と、ネットワーク識別情報と、ネットワークタイプ情報とのうちの少なくとも１つを含んでよい。
【００４１】
メイン／サブカード指示情報は、現在のＵＩＣＣ（Ｕｎｉｖｅｒｓａｌ  Ｉｎｔｅｇｒａｔｅｄ  Ｃｉｒｃｕｉｔ  Ｃａｒｄ、汎用集積回路カードと訳される）がメインカードスロットに挿入されているか又はサブカードスロットに挿入されているかを指示する情報であり、具体的には、メイン／サブカード指示情報は、メインカード指示情報と、サブカード指示情報とのうちの１つを含む。
【００４２】
なお、メイン／サブカード指示情報により、ネットワーク側装置は、端末のメインカード及びサブカードにおける、それぞれ対応する端末能力をマッピングすることができる。
【００４３】
ネットワーク識別情報は、端末が現在アクセスしているネットワーク及び／又はネットワークアクセスポリシーを指示することができる。例示的には、ネットワーク識別情報は、ＰＬＭＮ（Ｐｕｂｌｉｃ  Ｌａｎｄ  Ｍｏｂｉｌｅ  Ｎｅｔｗｏｒｋ、地上波公共移動通信ネットワーク）識別子であってよいが、これに限定されない。
【００４４】
なお、ネットワーク識別情報により、ネットワーク側装置は、端末の異なるネットワークにおける、それぞれ対応する端末能力、及び／又は端末が異なるネットワークアクセスポリシーによりアクセスするネットワークにおける、それぞれ対応する端末能力をマッピングすることができる。例示的な説明は以下のとおりである。
【００４５】
同一の端末については、ローミングする場合とホームネットワークにアクセスする場合には、端末の能力は、異なってよい。
【００４６】
同一の機種の異なる端末については、同じネットワークにアクセスするが、１つがローミングし、１つがホームネットワークにアクセスする場合に、端末の能力は、同じであってよい。
【００４７】
無線アクセスネットワークは、複数のオペレータネットワークに共有される。無線アクセスネットワークは、ネットワーク識別情報に基づいて、端末がアクセスしようとするネットワークの能力を知る。
【００４８】
端末のＰＬＭＮ情報が変更される場合、等価ネットワークは、異なる端末能力を対応してマッピングする。
【００４９】
ネットワークタイプ情報は、端末が現在アクセスしているネットワークタイプの能力を指示するか又は端末が遮断したネットワークタイプの能力を指示することができる。
【００５０】
なお、ネットワークタイプ情報により、ネットワーク側装置は、端末の異なるネットワークタイプにおける端末能力をマッピングすることができる。例えば、同一の機種の異なる端末については、１つの端末がデータ優先（ｄａｔａ  ｃｅｎｔｒｉｃ）であり、４Ｇネットワークにアクセスするとき、５Ｇネットワーク能力をオンにすることができ、他の１つの端末が音声優先（ｖｏｉｃｅ  ｃｅｎｔｒｉｃ）であり、５Ｇネットワークが音声をサポートしないため、５Ｇネットワーク能力をオフにすることができる。
【００５１】
１つの端末は、１つ以上の端末能力の識別情報を有してよい。
【００５２】
本開示の実施例では、端末能力は、端末コアネットワーク能力及び端末無線能力のうちの少なくとも１つを含んでよい。端末コアネットワーク能力は、端末ネットワーク能力、非アクセスネットワーク（ＮＡＳ）能力と呼ばれてよい。
【００５３】
好ましくは、端末無線能力は、キャリアアグリゲーションＣＡ能力及びデュアルコネクティビティＤＣ能力のうちの少なくとも１つを含んでよい。
【００５４】
好ましくは、端末コアネットワーク能力は、５Ｇセッション管理能力、５Ｇモビリティ管理能力、ユーザ端末ネットワーク能力（ＵＥ  Ｎｅｔｗｏｒｋ  ｃａｐａｂｉｌｉｔｙ）及び移動局ネットワーク能力（ＭＳ  Ｎｅｔｗｏｒｋ  ｃａｐａｂｉｌｉｔｙ）などのうちの少なくとも１つを含んでよい。
【００５５】
好ましくは、端末コアネットワーク能力は、５Ｇネットワーク能力、４Ｇネットワーク能力（例えば、ＵＥ  Ｎｅｔｗｏｒｋ  ｃａｐａｂｉｌｉｔｙ）及び３Ｇネットワーク能力（例えば、ＭＳ  Ｎｅｔｗｏｒｋ  ｃａｐａｂｉｌｉｔｙ）などのうちの少なくとも１つを含んでよい。
【００５６】
本開示の実施例では、サービスネットワークは、端末にアクセスを提供するネットワークであり、オペレータのネットワークであってもよく、専用ネットワークであってもよく、公衆通信ネットワークであってもよく、プライベート通信ネットワークであってもよい。好ましくは、サービスネットワークの識別子は、ＰＬＭＮ又は他の識別子（例えば、プライベート通信ネットワーク自身の識別子）であってよい。
【００５７】
本開示の実施例では、ネットワークタイプは、通信ネットワークタイプ、無線アクセス技術のタイプ、無線アクセスネットワークのタイプ及びネットワーク世代のうちの少なくとも１つを含んでよいが、これらに限定されない。
【００５８】
好ましくは、通信ネットワークタイプは、ＧＳＭ、ＥＤＧＥ、ＧＰＲＳ、ＧＳＭ−ＣＳ、ＧＳＭ−ＰＳ、ＣＳ、ＰＳ、ＣＤＭＡ、３ＧＰＰ２  １ｘＣＳ、ＥＰＳ及び５ＧＳのうちの少なくとも１つを含んでよいが、これらに限定されない。
【００５９】
好ましくは、無線アクセス技術のタイプは、ＧＥＲＡＮ、ＧＥＲＡＮ−ＣＳ、ＧＥＲＡＮ−ＰＳ、ＥＤＧＥ、ＵＴＲＡ、ＴＤ−ＳＣＤＭＡ、ＷＣＤＭＡ（登録商標）、ＨＳＰＡ、ＣＤＭＡ、ＣＤＭＡ  ２０００、３ＧＰＰ２  １ｘＣＳ、ｃｄｍａ２０００−１ＸＲＴＴ、ＥＵＴＲＡ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲのうちの少なくとも１つを含んでよいが、これらに限定されない。
【００６０】
好ましくは、無線アクセスネットワークのタイプは、ＧＥＲＡＮ、ＧＥＲＡＮ−ＣＳ、ＧＥＲＡＮ−ＰＳ、ＥＤＧＥ、ＵＴＲＡＮ、ＴＤ−ＳＣＤＭＡ、ＷＣＤＭＡ（登録商標）、ＨＳＰＡ、ＣＤＭＡ、ＣＤＭＡ  ２０００、３ＧＰＰ２  １ｘＣＳ、ｃｄｍａ２０００−１ＸＲＴＴ、ＥＵＴＲＡＮ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲのうちの少なくとも１つを含んでよいが、これらに限定されない。
【００６１】
本開示の実施例では、「能力」と「端末能力」は、同じ意味を表すことができ、混用してもよい。
【００６２】
本開示の実施例では、「能力識別情報」、「端末能力識別情報」と「端末能力の識別情報」は、同じ意味を表すことができ、混用してもよい。
【００６３】
本開示の実施例では、「カード」は、ＵＩＣＣ、ＳＩＭ（Ｓｕｂｓｃｒｉｂｅｒ  Ｉｄｅｎｔｉｔｙ  Ｍｏｄｕｌｅ）、ｅＳＩＭ及びｅＵＩＣＣであってよいが、これらに限定されない。カードは、エンティティカードであってよい。さらに、第Ｎのカードは、サービスネットワークのカードを第Ｎのカードスロットに設置することを表すことができる。メインカードは、サービスネットワークのカードをメインカードスロットに設置することを表すことができ、サブカードは、サービスネットワークのカードをメインカードスロットに設置することを表すことができる。カード位置情報は、カードスロット情報と呼ばれてよい。
【００６４】
カードは、電子カードであってもよい。サービスネットワークは端末に複数のカードを配置することができる。
【００６５】
本開示の実施例では、端末能力の識別情報の適用範囲情報は、端末能力の識別情報の適用条件情報と、端末能力の識別情報のタイプ情報とのうちの少なくとも１つとして具現化されてよい。
【００６６】
能力識別子のタイプは、メイン／サブカード指示、ネットワーク識別子（例えば、ＰＬＭＮ識別子）及びネットワークタイプのうちの少なくとも１つを含んでよい。一実施形態では、以上の１つ以上の組み合わせであってよい。
【００６７】
能力は、バンド能力、ＣＡ（Ｃａｒｒｉｅｒ  Ａｇｇｒｅｇａｔｉｏｎ、キャリアアグリゲーション）能力及びＤＣ（Ｄｕａｌ  Ｃｏｎｎｅｃｔｉｖｉｔｙ、デュアルコネクティビティ）能力をさらに含む。一実施形態では、ＤＣ及びＣＡのみの能力が膨大であるため、簡素化する必要がある。
【００６８】
二、サービスネットワークについて
【００６９】
サービスネットワークは、端末にアクセスを提供するネットワークであり、オペレータのネットワークであってもよく、専用ネットワークであってもよい。公衆通信ネットワークであってもよく、プライベート通信ネットワークであってもよい。
【００７０】
サービスネットワークの識別子は、ＰＬＭＮ又は他の識別子であってよく、例えば、プライベート通信ネットワーク自身の識別子である。
【００７１】
本開示の実施例では、取得は、設定による取得、受信による取得、要求後の受信による取得又は受信した情報に基づく処理後の取得であると理解でき、具体的には、実際の必要に応じて決定することができ、本開示の実施例はこれを限定しない。
【００７２】
六、アーキテクチャについて
【００７３】
１つの集約されたＣＭＦ（Ｃａｐａｂｉｌｉｔｙ  Ｍａｎａｇｅｍｅｎｔ  Ｆｕｎｃｔｉｏｎ、能力管理機能）ネットワーク要素を定義してよく、ＣＭＦはＡＭＦに合わせて設けられていてもよく、ＯＡＭに合わせて設けられていてもよく、独立したユニットであってもよい。
【００７４】
七、通信装置について
【００７５】
本開示の通信装置は、端末と、エンティティ装置と、ネットワーク機能と、ネットワークユニットとのうちの１つであってよい。
【００７６】
本開示の実施例では、通信装置は、端末と、コアネットワークのネットワーク要素（ＣＮネットワーク要素と略称する）と、無線アクセスネットワークのネットワーク要素（ＲＡＮネットワーク要素と略称する）とのうちの少なくとも１つを含んでよい。
【００７７】
本開示の実施例では、ＣＮネットワーク要素は、コアネットワーク装置、コアネットワークノード、コアネットワーク機能、コアネットワークのネットワークユニット、モビリティ管理エンティティ（Ｍｏｂｉｌｉｔｙ  Ｍａｎａｇｅｍｅｎｔ  Ｅｎｔｉｔｙ、ＭＭＥ）、アクセスモビリティ管理機能（Ａｃｃｅｓｓ  Ｍａｎａｇｅｍｅｎｔ  Ｆｕｎｃｔｉｏｎ、ＡＭＦ）、セッション管理機能（Ｓｅｓｓｉｏｎ  Ｍａｎａｇｅｍｅｎｔ  Ｆｕｎｃｔｉｏｎ、ＳＭＦ）、ユーザプレーン機能（Ｕｓｅｒ  Ｐｌａｎｅ  Ｆｕｎｃｔｉｏｎ、ＵＰＦ）、サービスゲートウェイ（ｓｅｒｖｉｎｇ  ＧＷ、ＳＧＷ）、ＰＤＮゲートウェイ（ＰＤＮ  Ｇａｔｅ  Ｗａｙ、ＰＤＮゲートウェイ）、ポリシー制御機能（Ｐｏｌｉｃｙ  Ｃｏｎｔｒｏｌ  Ｆｕｎｃｔｉｏｎ、ＰＣＦ）、ポリシー及び課金ルール機能ユニット（Ｐｏｌｉｃｙ  ａｎｄ  Ｃｈａｒｇｉｎｇ  Ｒｕｌｅｓ  Ｆｕｎｃｔｉｏｎ、ＰＣＲＦ）、ＧＰＲＳサービスサポートノード（Ｓｅｒｖｉｎｇ  ＧＰＲＳ  Ｓｕｐｐｏｒｔ  Ｎｏｄｅ、ＳＧＳＮ）及びゲートウェイＧＰＲＳサポートノード（Ｇａｔｅｗａｙ  ＧＰＲＳ  Ｓｕｐｐｏｒｔ  Ｎｏｄｅ、ＧＧＳＮ）のうちの少なくとも１つを含んでよいが、これらに限定されない。
【００７８】
本開示の実施例では、ＲＡＮネットワーク要素は、無線アクセスネットワーク装置、無線アクセスネットワークノード、無線アクセスネットワーク機能、無線アクセスネットワークのネットワークユニット、３ＧＰＰ無線アクセスネットワーク、非３ＧＰＰ無線アクセスネットワーク、集約ユニット（Ｃｅｎｔｒａｌｉｚｅｄ  Ｕｎｉｔ、ＣＵ）、分散ユニット（Ｄｉｓｔｒｉｂｕｔｅｄ  Ｕｎｉｔ、ＤＵ）、基地局、進化型基地局（ｅｖｏｌｖｅｄ  Ｎｏｄｅ  Ｂ、ｅＮＢ）、５Ｇ基地局（ｇＮＢ）、無線ネットワークコントローラ（Ｒａｄｉｏ  Ｎｅｔｗｏｒｋ  Ｃｏｎｔｒｏｌｌｅｒ、ＲＮＣ）、基地局（ＮｏｄｅＢ）、非３ＧＰＰインターワーキング機能（Ｎｏｎ−３ＧＰＰ  Ｉｎｔｅｒ−Ｗｏｒｋｉｎｇ  Ｆｕｎｃｔｉｏｎ、Ｎ３ＩＷＦ）、アクセス制御（Ａｃｃｅｓｓ  Ｃｏｎｔｒｏｌｌｅｒ、ＡＣ）ノード、アクセスポイント（Ａｃｃｅｓｓ  Ｐｏｉｎｔ、ＡＰ）装置又は無線ローカルエリアネットワーク（Ｗｉｒｅｌｅｓｓ  Ｌｏｃａｌ  Ａｒｅａ  Ｎｅｔｗｏｒｋｓ、ＷＬＡＮ）ノードのうちの少なくとも１つを含んでよいが、これらに限定されない。
【００７９】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、ＬＴＥにおける進化型基地局（ｅＮＢ又はｅ−ＮｏｄｅＢ、ｅｖｏｌｕｔｉｏｎａｌ  ＮｏｄｅＢ）及び５Ｇ基地局（ｇＮＢ）であってもよく、本開示の実施例では限定されない。
【００８０】
本開示の実施例では、端末は、ＵＥ（Ｕｓｅｒ  Ｅｑｕｉｐｍｅｎｔ、ユーザ装置）と呼ばれてよく、具体的には、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルディジタルアシスタント（ｐｅｒｓｏｎａｌ  ｄｉｇｉｔａｌ  ａｓｓｉｓｔａｎｔ、ＰＤＡと略称する）、モバイルインターネットデバイス（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などであってよい。また、端末は、端末機能をサポートするリピータをさらに含んでよい。
【００８１】
以下、本開示の実施例に係る能力管理方法を説明する。
【００８２】
本開示の実施例では、端末能力送信の方式は、能動的送信及び受動的送信を含んでよい。能動的送信は、能力が変化するときに端末が能動的にネットワーク側装置に送信できるように表現されてよく、受動的送信は、端末がネットワーク側装置の要求を受信した後に、要求された端末能力の関連情報を送信するように表現されてよい。
【００８３】
図１を参照すると、図１は、本開示の実施例に係る能力管理方法のフローチャートその１である。本実施例の能力管理方法は、第１の通信装置に適用され、第１の通信装置は、端末と、端末能力を有するリピータと、ＲＡＮネットワーク要素と、ＣＮネットワーク要素とのうちの少なくとも１つを含んでよいが、これらに限定されない。
【００８４】
図１に示すように、本実施例の能力管理方法は、以下のステップ１０１〜１０２を含んでよい。
【００８５】
ステップ１０１では、要求された端末能力を指示する第１の指示情報を含む端末能力要求情報を受信する。
【００８６】
具体的に実現する場合、端末能力要求情報を受信する上記ステップは、第１のターゲットから送信された端末能力要求情報を受信するように表現されてよい。
【００８７】
第１のターゲットは、ＲＡＮネットワーク要素と、ＣＮネットワーク要素と、リピータとのうちの少なくとも１つを含んでよい。
【００８８】
一実施形態では、第１の通信装置が端末であれば、第１のターゲットは、ＣＮネットワーク要素と、ＲＡＮネットワーク要素と、リピータとのうちの少なくとも１つであってよい。第１の通信装置がリピータであれば、第１のターゲットは、ＣＮネットワーク要素と、ＲＡＮネットワーク要素とのうちの少なくとも１つであってよい。第１の通信装置がＣＮネットワーク要素と表現されれば、第１のターゲットは、端末と、リピータと、ＲＡＮネットワーク要素とのうちの少なくとも１つであってよい。第１の通信装置がＲＡＮネットワーク要素と表現されれば、第１のターゲットは、端末と、リピータと、ＣＮネットワーク要素とのうちの少なくとも１つであってよい。
【００８９】
本ステップでは、端末能力要求情報における第１の指示情報は、第１のターゲットが要求する端末能力を明示的（又は直接的）又は暗示的（又は間接的）に指示することができる。それにより、第１の通信装置は、第１の指示情報の具体的な表現形式に基づいて、送信すべき端末能力の第１の関連情報を直接的に得るか又は間接的に導出することができる。
【００９０】
好ましくは、上記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
上記第２の能力識別情報は、上記第１の能力識別情報のうち、マッピングされる端末能力が存在しない能力識別情報であり、上記第３の能力識別情報は、上記第１の能力識別情報のうち、マッピングされる端末能力が存在する能力識別情報である。
【００９１】
一実施形態では、第１の能力識別情報には、１つの端末能力識別情報又は複数の端末能力識別情報が含まれてよい。第１の能力識別子はネットワーク側ネットワーク要素においてマッピングされる端末能力が存在しない可能性がある。
【００９２】
別の実施形態では、第１の能力識別情報には、複数の能力識別子が含まれてよい。一部の能力識別子は、ネットワーク側においてマッピングされる端末能力が存在しない可能性がある。本開示の実施例では、マッピングされる端末能力が存在しない能力識別子を第２の能力識別情報と呼び、マッピングされる端末能力が存在する能力識別子を第３の能力識別情報と呼ぶ。つまり、第１のターゲットの能力識別情報と端末能力とのマッピング関係（又はマッピングライブラリと呼ぶ）において、第１の能力識別情報に含まれる第２の能力識別子には、マッピングされる端末能力が存在せず、第１の能力識別情報に含まれる第３の能力識別子には、マッピングされる端末能力が存在する。
【００９３】
また、第２の指示情報は、第１のターゲットに端末能力情報がないことを指示することができる。ヌル値は、第１のターゲットに端末能力情報がないことを特徴付けることができる。
【００９４】
さらに、端末能力識別情報は、能力識別情報と、端末能力とのうちの少なくとも１つを含んでよい。一実施態様では、上記端末能力は、上記能力識別情報のようにマッピングされる端末能力である。つまり、端末能力要求情報にヌル値又は第２の指示情報が含まれれば、第１のターゲットに記憶されている能力識別情報と端末能力とのマッピング関係において、端末の端末能力及び／又は能力識別情報が存在しないことを示す。
【００９５】
ステップ１０２では、上記第１の指示情報に基づいて、端末能力の第１の関連情報を送信する。
【００９６】
本ステップでは、第１の通信装置は、第１の指示情報に基づいて、第１のターゲットが要求した端末能力を決定すると共に、第１のターゲットに第１のターゲットが要求した端末能力、即ち、本ステップに記載の端末能力の第１の関連情報を送信することができる。
【００９７】
好ましくは、上記端末能力の第１の関連情報は、第１の能力識別情報によってマッピングされる端末能力と、第２の能力識別情報によってマッピングされる端末能力と、端末の端末能力とのうちの少なくとも１つを含む。具体的には、端末の端末能力は、端末の完全な端末能力であってよい。端末の端末能力は、端末の能力識別情報によってマッピングされる端末能力であってよい。
【００９８】
さらに、上記端末能力の第１の関連情報は、上記第１の能力識別情報と、上記第２の能力識別情報と、端末の端末能力によってマッピングされる能力識別情報とのうちの少なくとも１つをさらに含む。
【００９９】
上記端末能力の第１の関連情報に含まれる能力識別情報は、端末能力の第１の関連情報に含まれる、端末能力によってマッピングされる能力識別情報であってよいことを理解されたい。
【０１００】
具体的には、上記端末能力の第１の関連情報には、第１の能力識別情報によってマッピングされる端末能力が含まれれば、上記端末能力の第１の関連情報は、上記第１の能力識別情報をさらに含んでよい。
【０１０１】
上記端末能力の第１の関連情報には、第２の能力識別情報によってマッピングされる端末能力が含まれれば、上記端末能力の第１の関連情報は、上記第２の能力識別情報をさらに含んでよい。
【０１０２】
上記端末能力の第１の関連情報には端末の端末能力が含まれれば、上記端末能力の第１の関連情報は、端末の端末能力によってマッピングされる能力識別情報をさらに含んでよい。
【０１０３】
このように、端末能力の第１の関連情報には、能力識別情報とそれにマッピングされる端末能力が含まれるため、第１のターゲットは、端末能力の第１の関連情報を受信した後に、能力識別情報と端末能力とのマッピング関係を速やかに更新し、マッピング関係の更新レートを向上させることができる。
【０１０４】
上記端末能力の第１の関連情報に含まれるコンテンツは、上記第１の指示情報の具体的な表現形式に対応することを理解されたい。
【０１０５】
好ましくは、上記第１の指示情報が第１の能力識別情報を含む場合、上記端末能力の第１の関連情報は、上記第１の能力識別情報によってマッピングされる端末能力と、上記第１の能力識別情報とのうちの少なくとも１つを含み、及び／又は
上記第１の指示情報が第１の能力識別情報及び第３の能力識別情報を含み、及び／又は上記第１の指示情報が第２の能力識別情報を含み、及び／又は上記指示情報が第３の能力識別情報を含む場合、上記端末能力の第１の関連情報は、第２の能力識別情報によってマッピングされる端末能力と、上記第２の能力識別情報とを少なくとも含み、及び／又は
上記第１の指示情報がヌル値及び／又は第２の指示情報を含む場合、上記端末能力の第１の関連情報は、端末の端末能力と、端末の端末能力によってマッピングされる能力識別情報と、第１の能力識別情報と、上記第１の能力識別情報によってマッピングされる端末能力とのうちの少なくとも１つを含む。
【０１０６】
以下、異なるシーンでの具体的な実現方式を説明する。
【０１０７】
シーン１で、第１のターゲットは、それに記憶されている能力識別情報と端末能力とのマッピング関係において、第１の能力識別情報によってマッピングされる端末能力が存在しないと判定する。
【０１０８】
該シーンで、第１のターゲットは、第１の能力識別情報を端末能力要求情報に載せることができる。このように、第１の通信装置は、上記端末能力要求情報を受信した後に、第１の能力表示情報によってマッピングされる端末能力を少なくとも端末能力の第１の関連情報に載せることにより、能力識別情報と端末能力とのマッピング関係の更新を実現することができる。
【０１０９】
シーン２で、第１のターゲットは、それに記憶されている能力識別情報と端末能力とのマッピング関係において、第２の能力識別情報によってマッピングされる端末能力が存在せず、第３の能力識別情報によってマッピングされる端末能力が存在すると判定する。第２の能力識別情報及び第３の能力識別情報は、第１の能力識別情報に属する。
【０１１０】
該シーンで、第１のターゲットは、第１の通信装置が第２の能力識別情報によってマッピングされる端末能力を送信することを明示的又は暗示的に要求することができる。
【０１１１】
暗示的要求方式では、第１のターゲットは、第１の能力識別情報及び第３の能力識別情報を端末能力要求情報に載せることができる。このように、第１の通信装置は、上記端末能力要求情報を受信した後に、端末能力要求情報に載せられた第１の能力識別情報及び第３の能力識別情報に基づいて、第１のターゲットに記憶されている能力識別情報と端末能力とのマッピング関係において、第２の能力識別情報によってマッピングされる端末能力が存在しないことを導出することができるため、第２の能力識別情報によってマッピングされる端末能力を少なくとも端末能力の第１の関連情報に載せることができる。
【０１１２】
なお、本実施例では、第１の能力識別情報は、第１の通信装置が第１のターゲットに送信する能力識別情報である。したがって、ある実施形態では、第１のターゲットは、第３の能力識別情報のみを端末能力要求情報に載せることができる。このように、第１の通信装置は、上記端末能力要求情報を受信した後に、端末能力要求情報に載せられた第３の能力識別情報及び自身の第１の能力識別情報に基づいて、第１のターゲットに記憶されている能力識別情報と端末能力とのマッピング関係において、第２の能力識別情報によってマッピングされる端末能力が存在しないことを導出することができるため、第２の能力識別情報によってマッピングされる端末能力を少なくとも端末能力の第１の関連情報に載せることができる。このように、端末能力要求情報に載せられるコンテンツを減少させることができるため、シグナリングオーバーヘッドを低減することができる。
【０１１３】
明示的要求方式では、第１のターゲットは、第２の能力識別情報を端末能力要求情報に直接的に載せることができる。このように、第１の通信装置は、上記端末能力要求情報を受信した後に、第１のターゲットに記憶されている能力識別情報と端末能力とのマッピング関係において、第２の能力識別情報によってマッピングされる端末能力が存在しないことを直接的に知ることができ、導出する必要がなく、さらに第１の能力識別情報によってマッピングされる端末能力を端末能力の第１の関連情報に載せる。以上より、暗示的要求方式に比べて、明示的要求は、第１の通信装置の処理プロセスを低減し、運転負荷を低減することができる。
【０１１４】
実際の応用において、第１のターゲットは、端末能力要求情報を送信する前に、第２の能力識別情報及び第３の能力識別情報にそれぞれ含まれる能力識別子の数を予め決定すると共に、第２の能力識別情報及び第３の能力識別情報にそれぞれ含まれる能力識別子の数に基づいて、暗示的要求方式又は明示的要求方式を採用することを決定してよい。
【０１１５】
具体的には、第２の能力識別情報に含まれる能力識別子の数が第３の能力識別情報に含まれる能力識別子の数より多ければ、明示的要求方式を採用して、第２の能力識別情報を端末能力要求情報に載せ、第２の能力識別情報に含まれる能力識別子の数が第３の能力識別情報に含まれる能力識別子の数より少なければ、暗示的要求方式を採用して、第３の能力識別情報を端末能力要求情報に載せる。
【０１１６】
要するに、含まれる能力識別子の数が少ない端末能力識別情報を選択して端末能力要求情報に載せて第１の通信装置に送信することにより、システムリソースを節約することができる。
【０１１７】
例示的に、第１の能力識別情報には能力識別子１、能力識別子２、能力識別子３、能力識別子４及び能力識別子５が含まれ、かつ第１のターゲットに記憶されている能力識別情報と端末能力とのマッピング関係において、能力識別子１及び能力識別子３によってマッピングされる端末能力が存在せず、能力識別子２、能力識別子４及び能力識別子５によってマッピングされる端末能力が存在すると仮定する。そうすれば、マッピングされる端末能力が存在する能力識別子１及び能力識別子３を端末能力要求情報に載せることができ、このように、第１の通信装置は、上記端末能力要求情報を受信した後に、能力識別子１及び能力識別子３によってマッピングされる端末能力を少なくとも端末能力の第１の関連情報に載せることができる。
【０１１８】
第１の能力識別情報には能力識別子ａ、能力識別子ｂ、能力識別子ｃ、能力識別子ｄ及び能力識別子ｅが含まれ、かつ第１のターゲットに記憶されている能力識別情報と端末能力とのマッピング関係において、能力識別子ａによってマッピングされる端末能力が存在し、能力識別子ｂ、能力識別子ｃ能力識別子ｄ及び能力識別子ｅによってマッピングされる端末能力が存在しないと仮定する。そうすれば、マッピングされる端末能力が存在する能力識別子ａを端末能力要求情報に載せることができ、このように、第１の通信装置は、上記端末能力要求情報を受信した後に、自身に記憶されている能力識別子ａ、能力識別子ｂ、能力識別子ｃ、能力識別子ｄ及び能力識別子ｅ並びに端末能力要求情報に載せられた、マッピングされる端末能力が存在する能力識別子ａに基づいて、第１のターゲットに記憶されている能力識別情報と端末能力とのマッピング関係において、能力識別子ｂ、能力識別子ｃ、能力識別子ｄ及び能力識別子ｅによってマッピングされる端末能力が存在しないことを導出することができるため、能力識別子ｂ、能力識別子ｃ、能力識別子ｄ及び能力識別子ｅによってマッピングされる端末能力を少なくと端末能力の第１の関連情報に載せることができる。
【０１１９】
シーン３で、第１のターゲットは、それに記憶されている能力識別情報と端末能力とのマッピング関係において、端末能力情報がなく、即ち、端末能力及び／又は能力識別情報が存在しないと判定する。
【０１２０】
該シーンで、第１のターゲットは、ヌル値及び／又は第２の指示情報を端末能力要求情報に載せることができる。このように、第１の通信装置は、上記端末能力要求情報を受信した後に、端末の端末能力と、端末の端末能力によってマッピングされる能力識別情報と、第１の能力識別情報と、上記第１の能力識別情報によってマッピングされる端末能力とのうちの少なくとも１つを端末能力の第１の関連情報に載せることができる。さらに能力識別情報と端末能力とのマッピング関係の更新を実現する。
【０１２１】
なお、本開示の実施例において説明された様々な好ましい実施形態は、組み合わせて実現されてもよく、単独で実現されてもよく、本開示の実施例はこれらを限定しない。
【０１２２】
本実施例の能力管理方法では、第１のターゲットが能力識別情報によってマッピングされる端末能力を欠く場合、複数の第１の通信装置が同じ端末能力を有するため、第１のターゲットは、１つの第１の通信装置から端末能力を取得することができる。第１の通信装置は、端末能力要求情報を受信すると共に、端末能力要求情報に含まれる、要求された端末能力を指示する第１の指示情報に基づいて、端末能力の第１の関連情報を送信し、端末能力送信によるオーバーヘッドを低減することができる一方で、端末能力識別子によってマッピングされる端末能力の信頼性及び正確度を保証することができる。
【０１２３】
図２を参照すると、図２は、本開示の実施例に係る能力管理方法のフローチャートその２である。本実施例の能力管理方法は、第２の通信装置に適用され、第２の通信装置は、 ＲＡＮネットワーク要素と、ＣＮネットワーク要素とのうちの少なくとも１つを含んでよい。なお、本実施例は、図１に対応する方法の実施例に対応する第２の通信装置の実施形態であるため、本実施例の第２の通信装置は、図１に対応する方法の実施例における第１のターゲットであると理解することができる。
【０１２４】
図２に示すように、本実施例の能力管理方法は、以下のステップ２０１〜２０３を含むことができる。
【０１２５】
ステップ２０１では、第１の能力識別情報を含む第１の情報を取得する。
【０１２６】
具体的に実現する場合、第１の情報を取得する上記ステップは、第２のターゲットから送信された第１の情報を受信するように表現されてよい。
【０１２７】
第２のターゲットは、端末と、ＣＮネットワーク要素と、ＲＡＮネットワーク要素とのうちの少なくとも１つを含んでよい。一実施形態では、第１の通信装置がＣＮネットワーク要素と表現されれば、第１のターゲットは、端末と、ＲＡＮネットワーク要素とのうちの少なくとも１つであってよい。第１の通信装置がＲＡＮネットワーク要素と表現されれば、第１のターゲットは、端末と、ＣＮネットワーク要素とのうちの少なくとも１つであってよい。
【０１２８】
ステップ２０２では、上記第１の能力識別情報に基づいて、要求された端末能力を指示する第１の指示情報を含む端末能力要求情報を送信する。
【０１２９】
本実施例では、第２の通信装置は、他のネットワーク側ネットワーク要素に端末能力要求情報を優先的に送信することができ、他のネットワーク要素も要求された端末能力がない場合にさらに端末に端末能力要求情報を送信する。例示的には、第２の通信装置がＣＮネットワーク要素である場合、ＣＮネットワーク要素は、ＲＡＮネットワーク要素に端末能力要求情報を優先的に送信することができ、ＲＡＮネットワーク要素も要求された端末能力がない場合にさらに端末に端末能力要求情報を送信する。
【０１３０】
要求された端末能力を有する端末が複数存在する場合、第２の通信装置は、１つの端末のみに端末能力要求情報を送信すればよいことを理解されたい。
【０１３１】
本ステップでは、第２の通信装置は、記憶されている能力識別情報と端末能力とのマッピング関係と、第２の能力識別情報とに基づいて、端末能力要求情報の送信時間及び載せるコンテンツを決定することができる。
【０１３２】
好ましくは、上記第１の能力識別情報に基づいて、端末能力要求情報を送信する上記ステップは、
所定の条件を満たす場合、上記第１の能力識別情報に基づいて、端末能力要求情報を送信するステップを含み、
上記所定の条件を満たすことは、
上記第１の能力識別情報によってマッピングされる端末能力が存在しないことと、
上記第１の能力識別情報のうちの第２の能力識別情報によってマッピングされる端末能力が存在しないこととのうちの少なくとも１つを含む。
【０１３３】
つまり、第２の通信装置に記憶されている能力識別情報と端末能力とのマッピング関係において、上記第１の能力識別情報によってマッピングされる端末能力が存在しないか又は上記第１の能力識別情報のうちの第２の能力識別情報によってマッピングされる端末能力が存在しなければ、第２の通信装置は、いずれも端末能力要求情報を送信することができる。
【０１３４】
好ましくは、上記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
上記第３の能力識別情報は、上記第１の能力識別情報のうち、マッピングされる端末能力が存在する能力識別情報である。
【０１３５】
本実施例は、図１に対応する方法の実施例に対応する第２の通信装置の実施形態であるため、本ステップにおける端末能力要求情報は、図１に対応する方法の実施例における端末能力要求情報と同じであり、具体的には、上記方法の実施例における関連説明を参照することができるため、ここでは説明を省略する。
【０１３６】
また、好ましくは、上記第１の能力識別情報に基づいて、端末能力要求情報を送信する上記ステップの後に、
上記第１の指示情報に基づいて返された端末能力の第１の関連情報を受信するステップをさらに含む。
【０１３７】
本実施例は、図１に対応する方法の実施例に対応する第２の通信装置の実施形態であるため、第２の通信装置が受信した端末能力の第１の関連情報は、図１に対応する方法の実施例における端末能力の第１の関連情報と同じであり、具体的には、上記方法の実施例における関連説明を参照することができる、ここでは説明を省略する。
【０１３８】
なお、本開示の実施例において説明された様々な好ましい実施形態は、組み合わせて実現されてもよく、単独で実現されてもよく、本開示の実施例はこれらを限定しない。
【０１３９】
本実施例の能力管理方法では、第２の通信装置は、第１の能力識別情報を含む第１の情報を取得し、上記第１の能力識別情報に基づいて、要求された端末能力を指示する第１の指示情報を含む端末能力要求情報を送信することにより、端末能力送信によるオーバーヘッドを低減することができる一方で、端末能力識別子によってマッピングされる端末能力の信頼性及び正確度を保証することができる。
【０１４０】
また、要求された端末能力を有する端末が複数存在する場合、端末の端末能力の送信を大幅に低減することができる一方で、オペレータがバックグラウンドで端末能力を設定する複雑度を低下させるだけでなく、端末能力の正確度を保証し、信頼性を大幅に向上させることができる。さらにローミング端末の能力取得の問題を解決すると共に、ローミング端末能力の送信を低減するという効果を達成することができる。
【０１４１】
なお、本開示の実施例では、図１及び図２に対応する方法の実施例は、それぞれ独立して実現されてもよく、組み合わせて実現されてもよい。
【０１４２】
以下、実施例を組み合わせて図１及び図２に対応する方法の実施例について、実現するシーンを組み合わせて例に挙げて説明する。
【０１４３】
実施例１
【０１４４】
本実施例では、主に、端末がＣＮネットワーク要素に第１の能力識別情報を送信するプロセスを説明する。
【０１４５】
図３を参照すると、図３に示すように、本実施例の能力管理方法は、以下のステップ１〜ステップ５を含むことができる。
【０１４６】
ステップ１では、端末は、ＲＡＮネットワーク要素よりＣＮネットワーク要素に第１の能力識別情報を送信することができる。
【０１４７】
第１の能力識別情報は、ＮＡＳ（Ｎｏｎ−ａｃｃｅｓｓ  ｓｔｒａｔｕｍ、非アクセス層）メッセージに載せられて伝送されてよいが、これに限定されない。
【０１４８】
ＣＮネットワーク要素は、ＡＭＦ、ＭＭＥ又は能力管理機能であってよい。
【０１４９】
好ましくは、ＣＮネットワーク要素は、それに記憶されている能力識別情報と端末能力とのマッピング関係において、第１の能力識別情報によってマッピングされる端末能力が存在するか否かを判断することができる。
【０１５０】
第１の能力識別情報が第２の能力識別情報を含み、かつ第２の能力識別情報にはマッピングされる端末能力が存在しなければ、ＣＮネットワーク要素は、第２の能力識別情報によってマッピングされる端末能力を取得することをＲＡＮネットワーク要素に要求することができる。
【０１５１】
ステップ２では、ＣＮネットワーク要素は第２の能力識別情報をＲＡＮネットワーク要素に送信する。
【０１５２】
第２の能力識別情報は、ＩＵＣＳ（Ｉｎｉｔｉａｌ  ＵＥ  Ｃｏｎｔｅｘｔ  Ｓｅｔｕｐ、初期端末コンテキスト確立）要求に載せられてよいが、これに限定されない。
【０１５３】
ＲＡＮネットワーク要素は、それに記憶されている能力識別情報と端末能力とのマッピング関係において、第２の能力識別情報によってマッピングされる端末能力が存在するか否かを判断することができる。
【０１５４】
存在すれば、ステップ５に移行し、存在しなければ、ステップ３に進む。
【０１５５】
ステップ３では、ＲＡＮネットワーク要素は端末に端末能力要求情報を送信する。
【０１５６】
端末能力要求情報は、第２の能力識別情報を含んでよい。
【０１５７】
端末能力要求情報は、ＲＲＣ（Ｒａｄｉｏ  Ｒｅｓｏｕｒｃｅ  Ｃｏｎｔｒｏｌ、無線リソース制御）メッセージに載せられて伝送されてもよく、当然のことながら、他のダウンリンクメッセージに載せられて伝送されてもよく、これを限定しない。
【０１５８】
ステップ４では、端末はＲＡＮネットワーク要素に端末能力の第１の関連情報を返す。
【０１５９】
端末能力の第１の関連情報は、第２の能力識別情報に対応する端末能力を含んでよく、さらに、上記第２の能力識別情報を含んでよい。
【０１６０】
端末能力の第１の関連情報は、ＲＲＣメッセージに載せられて伝送されてよいが、これに限定されない。
【０１６１】
ＲＡＮネットワーク要素は端末能力の第１の関連情報を保存する。
【０１６２】
ステップ５では、ＲＡＮネットワーク要素はＣＮネットワーク要素に端末能力の第１の関連情報を送信する。
【０１６３】
ＣＮネットワーク要素は、端末能力の第１の関連情報を保存し、能力識別情報と端末能力とのマッピング関係の更新を実現する。
【０１６４】
本実施例では、ＣＮネットワーク要素は、端末から送信された能力識別情報を受信した後に、まず、上記能力識別情報に対応する端末能力が存在するか否かを判断することができる。上記能力識別情報における一部又は全部の能力識別子にはマッピングされる端末能力が存在しない場合、ＣＮネットワーク要素は、マッピングされる端末能力が存在しない能力識別子をＲＡＮネットワーク要素に優先的に送信して、該能力識別子によってマッピングされる端末能力を取得するように要求することができる。ＲＡＮネットワーク要素も該能力識別子によってマッピングされる端末能力が存在しなければ、ＲＡＮネットワーク要素は、該能力識別子によってマッピングされる端末能力をさらに端末に要求し、かつ端末から送信された上記端末能力をＣＮネットワーク要素に転送することにより、ＣＮネットワーク要素における能力識別情報と端末能力とのマッピング関係の更新を実現することができる。以上より、本実施例では、ＣＮネットワーク要素とＲＡＮネットワーク要素は、まず、それぞれの、マッピングされる端末能力が存在するか又は存在しない識別情報を変換し、次に変換結果に基づいて端末能力の同期が必要であるか否かを決定することができることにより、ＲＡＮネットワーク要素にはＣＮネットワーク要素によって要求された端末能力が存在する場合、ＲＡＮネットワーク要素と端末との間のシグナリング変換を回避することができるため、システムリソースを節約することができる。
【０１６５】
なお、ＣＮネットワーク要素によって要求された端末能力を有する端末が複数存在する場合、ＣＮネットワーク要素は、そのうちの１つの端末に端末能力要求情報を送信することができるため、端末能力送信によるシグナリングオーバーヘッドをさらに低減することができる。
【０１６６】
実施例２
【０１６７】
本実施例では、主に、端末がＣＮネットワーク要素に第１の能力識別情報を送信するプロセスを説明する。
【０１６８】
図４を参照すると、図４に示すように、本実施例の能力管理方法は、以下のステップ１〜ステップ４を含むことができる。
【０１６９】
ステップ１では、端末は、ＲＡＮネットワーク要素によりＣＮネットワーク要素に第１の能力識別情報を送信する。
【０１７０】
第１の能力識別情報は、ＮＡＳ（Ｎｏｎ−ａｃｃｅｓｓ  ｓｔｒａｔｕｍ、非アクセス層）において伝送されてよいが、これに限定されない。
【０１７１】
好ましくは、ＣＮネットワーク要素は、それに記憶されている能力識別情報と端末能力とのマッピング関係において、第１の能力識別情報によってマッピングされる端末能力が存在するか否かを判断することができる。
【０１７２】
第１の能力識別情報が第２の能力識別情報を含み、かつ第２の能力識別情報にはマッピングされる端末能力が存在しなければ、ＣＮネットワーク要素は、第２の能力識別情報によってマッピングされる端末能力を取得することを端末に要求することができる。
【０１７３】
ステップ２では、ＣＮネットワーク要素は端末に端末能力要求情報を送信する。
【０１７４】
端末能力要求情報は、第２の能力識別情報を含んでよい。
【０１７５】
端末能力要求情報は、ＮＡＳにおいて伝送されてよいが、これに限定されない。
【０１７６】
ステップ３では、端末はＣＮネットワーク要素に端末能力の第１の関連情報を返す。
【０１７７】
端末能力の第１の関連情報は、第２の能力識別情報に対応する端末能力を含んでよく、さらに、上記第２の能力識別情報を含んでよい。
【０１７８】
端末能力の第１の関連情報は、ＮＡＳにおいて伝送されてよいが、これに限定されない。
【０１７９】
ＣＮネットワーク要素は端末能力の第１の関連情報を保存する。
【０１８０】
ステップ４では、ＣＮネットワーク要素はＲＡＮネットワーク要素に端末能力の第１の関連情報を送信する。
【０１８１】
端末能力の第１の関連情報は、第２の能力識別情報に対応する端末能力を含んでよく、さらに、上記第２の能力識別情報を含んでよい。
【０１８２】
端末能力の第１の関連情報は、ＩＵＣＳ要求に載せられて伝送されてよいが、これに限定されない。
【０１８３】
ＲＡＮネットワーク要素は端末能力の第１の関連情報を保存する。
【０１８４】
本実施例では、ＣＮネットワーク要素は、端末から送信された能力識別情報を受信した後に、まず、上記能力識別情報に対応する端末能力が存在するか否かを判断することができる。上記能力識別情報における一部又は全部の能力識別子にはマッピングされる端末能力が存在しない場合、ＣＮネットワーク要素は、マッピングされる端末能力が存在しない上記能力識別子によってマッピングされる端末能力を端末に直接的に要求することができる。それにより、ＲＡＮネットワーク要素にはＣＮネットワーク要素によって要求された端末能力が存在しない場合、端末能力の要求時間を節約することができる。
【０１８５】
また、ＣＮネットワーク要素は、端末から送信された端末能力の第１の関連情報を受信した後に、端末能力の第１の関連情報をＲＡＮネットワーク要素に転送することにより、ＣＮネットワーク要素とＲＡＮネットワーク要素における端末能力の同期を実現することができ、ＲＡＮネットワーク要素は端末に該端末能力を要求する必要がなく、シグナリングオーバーヘッドを低減する。
【０１８６】
なお、ＣＮネットワーク要素によって要求された端末能力を有する端末が複数存在する場合、ＣＮネットワーク要素は、そのうちの１つの端末に端末能力要求情報を送信することにより、端末能力送信によるシグナリングオーバーヘッドをさらに低減することができる。
【０１８７】
実施例３
【０１８８】
本実施例では、主に、端末がＲＡＮネットワーク要素に第１の能力識別情報を送信するプロセスを説明する。
【０１８９】
図５を参照すると、図５に示すように、本実施例の能力管理方法は、以下のステップ１〜ステップ７を含むことができる。
【０１９０】
ステップ１では、端末は、ＲＡＮネットワーク要素に第１の能力識別情報を送信することができる。
【０１９１】
第１の能力識別情報は、ＲＲＣメッセージに載せられて伝送されてよいが、これに限定されない。
【０１９２】
好ましくは、ＲＡＮネットワーク要素は、それに記憶されている能力識別情報と端末能力とのマッピング関係において、第１の能力識別情報によってマッピングされる端末能力が存在するか否かを判断することができる。
【０１９３】
第１の能力識別情報が第２の能力識別情報を含み、かつ第２の能力識別情報にはマッピングされる端末能力が存在しなければ、ＲＡＮネットワーク要素は、第２の能力識別情報によってマッピングされる端末能力を取得することをＣＮネットワーク要素に要求することができる。
【０１９４】
ＣＮネットワーク要素は、ＡＭＦ、ＭＭＥ又は能力管理機能であってよい。
【０１９５】
ステップ２では、ＲＡＮネットワーク要素は第２の能力識別情報をＣＮネットワーク要素に送信する。
【０１９６】
第２の能力識別情報は、初期ＵＥメッセージに載せられてよいが、これに限定されない。
【０１９７】
ＣＮネットワーク要素は、それに記憶されている能力識別情報と端末能力とのマッピング関係において、第２の能力識別情報によってマッピングされる端末能力が存在するか否かを判断することができる。
【０１９８】
存在しなければ、ステップ３に進む。
【０１９９】
ステップ３では、ＣＮネットワーク要素はＲＡＮネットワーク要素に第２の能力識別情報を送信する。
【０２００】
本ステップでは、第２の能力識別情報は、ＩＵＣＳ要求メッセージに載せられてよい。
【０２０１】
ステップ４では、ＲＡＮネットワーク要素は端末に端末能力要求情報を送信する。
【０２０２】
端末能力要求情報は、第２の能力識別情報を含んでよい。
【０２０３】
端末能力要求情報は、ＲＲＣメッセージに載せられて伝送されてもよく、当然のことながら、他のダウンリンクメッセージに載せられて伝送されてもよく、これを限定しない。
【０２０４】
ステップ６では、端末はＲＡＮネットワーク要素に端末能力の第１の関連情報を返す。
【０２０５】
端末能力の第１の関連情報は、第２の能力識別情報に対応する端末能力を含んでよく、さらに、上記第２の能力識別情報を含んでよい。
【０２０６】
端末能力の第１の関連情報は、ＲＲＣメッセージに載せられて伝送されてよいが、これに限定されない。
【０２０７】
ＲＡＮネットワーク要素は端末能力の第１の関連情報を保存する。
【０２０８】
ステップ７では、ＲＡＮネットワーク要素はＣＮネットワーク要素に端末能力の第１の関連情報を送信する。
【０２０９】
ＣＮネットワーク要素は、端末能力の第１の関連情報を保存し、能力識別情報と端末能力とのマッピング関係の更新を実現する。
【０２１０】
本実施例では、ＲＡＮネットワーク要素は、端末から送信された能力識別情報を受信した後に、まず、上記能力識別情報に対応する端末能力が存在するか否かを判断することができる。上記能力識別情報における一部又は全部の能力識別子にはマッピングされる端末能力が存在しない場合、ＲＡＮネットワーク要素は、マッピングされる端末能力が存在しない能力識別子をＣＮネットワーク要素に優先的に送信して、該能力識別子によってマッピングされる端末能力を取得するように要求することができる。ＣＮネットワーク要素も該能力識別子によってマッピングされる端末能力が存在しなければ、ＲＡＮネットワーク要素は、該能力識別子によってマッピングされる端末能力をさらに端末に要求し、かつ端末から送信された上記端末能力をＣＮネットワーク要素に転送することにより、ＣＮネットワーク要素における能力識別情報と端末能力とのマッピング関係の更新を実現することができる。以上より、本実施例では、ＣＮネットワーク要素とＲＡＮネットワーク要素は、まず、それぞれの、マッピングされる端末能力が存在するか又は存在しない識別情報を変換し、次に変換結果に基づいて端末能力の同期が必要であるか否かを決定することができることにより、ＲＡＮネットワーク要素にはＣＮネットワーク要素によって要求された端末能力が存在する場合、ＲＡＮネットワーク要素と端末との間のシグナリング変換を回避することができるため、システムリソースを節約することができる。
【０２１１】
なお、ＲＡＮネットワーク要素によって要求された端末能力を有する端末が複数存在する場合、ＣＮネットワーク要素は、そのうちの１つの端末に端末能力要求情報を送信することができるため、端末能力送信によるシグナリングオーバーヘッドをさらに低減することができる。
【０２１２】
実施例４
【０２１３】
本実施例では、主に、第１のＣＮネットワーク要素が第２のＣＮネットワーク要素に第１の能力識別情報を送信するプロセスを説明する。第１のＣＮネットワーク要素は、ＡＭＦ又はＭＭＥと表現されてよく、第２のＣＮネットワーク要素は能力管理機能と表現されてよい。
【０２１４】
図６を参照すると、図６に示すように、本実施例の能力管理方法は、以下のステップ１〜ステップ２を含むことができる。
【０２１５】
ステップ１では、第１のＣＮネットワーク要素は第２のＣＮネットワーク要素に第１の能力識別情報を送信する。
【０２１６】
好ましくは、第２のＣＮネットワーク要素は、それに記憶されている能力識別情報と端末能力とのマッピング関係において、第１の能力識別情報によってマッピングされる端末能力が存在するか否かを判断することができる。
【０２１７】
第１の能力識別情報が第２の能力識別情報及び第３の能力識別情報を含み、かつ第２の能力識別情報にはマッピングされる端末能力が存在せず、第３の能力識別情報にはマッピングされる端末能力が存在すれば、ステップ２を実行する。
【０２１８】
ステップ２では、第２のＣＮネットワーク要素は第１のＣＮネットワーク要素に端末能力の関連情報を送信する。
【０２１９】
端末能力の関連情報は、第２の能力識別情報と、第２の能力識別情報によってマッピングされる端末能力と、第３の能力識別情報とを含む。
【０２２０】
このように、第１のＣＮネットワーク要素は、後に第２の能力識別情報によってマッピングされる能力を要求することができ、第３の能力識別情報によってマッピングされる端末能力を要求する必要がなくなるため、端末能力送信によるシグナリングオーバーヘッドを低減することができる。
【０２２１】
図７を参照すると、図７は、本開示の実施例に係る能力管理方法のフローチャートその７である。本実施例の能力管理方法は、第３の通信装置に適用され、第３の通信装置は、ＲＡＮネットワーク要素と、ＣＮネットワーク要素とのうちの少なくとも１つを含んでよい。
【０２２２】
図７に示すように、本実施例の能力管理方法は、以下のステップ７０１〜ステップ７０２を含むことができる。
【０２２３】
ステップ７０１では、第４の能力識別情報と、第５の能力識別情報とのうちの１つを含む第２の情報を送信する。
【０２２４】
上記第４の能力識別情報にはマッピングされる端末能力が存在し、上記第５の能力識別情報にはマッピングされる端末能力が存在しない。一実施形態では、第４の能力識別情報は、第３の通信装置の、マッピングされる端末能力が存在する能力識別情報であってよく、全ての端末に適用されてもよく、端末と関係がなくてもよい。第５の能力識別情報は、第３の通信装置の、マッピングされる端末能力が存在しない能力識別情報であってよく、全ての端末に適用されてもよく、端末と関係がなくてもよい。
【０２２５】
具体的に実現する場合、第２の情報を送信する上記ステップは、第３のターゲットに第２の情報を送信するように表現されてよい。
【０２２６】
第３のターゲットは、端末と、ＣＮネットワーク要素と、ＲＡＮネットワーク要素とのうちの少なくとも１つを含んでよい。
【０２２７】
一実施形態では、第３の通信装置がＣＮネットワーク要素と表現されれば、第３のターゲットは、端末と、ＲＡＮネットワーク要素とのうちの少なくとも１つであってよい。第３の通信装置がＲＡＮネットワーク要素と表現されれば、第３のターゲットは、端末と、ＣＮネットワーク要素とのうちの少なくとも１つであってよい。
【０２２８】
本実施例では、第３の通信装置が第３のターゲットに第２の情報を送信することは、第３のターゲットに記憶されている能力識別子における、マッピングされる端末能力が存在する能力識別情報と、マッピングされる端末能力が存在しない能力識別情報とを事前に第３のターゲットに通知することを目的とする。
【０２２９】
このように、第３のターゲットが第３の通信装置に端末能力識別情報を送信しようとする場合、送信しようとする端末能力によってマッピングされる能力識別情報が第４の能力識別情報に属すれば、該端末能力によってマッピングされる能力識別子のみを送信すればよく、該端末能力を送信する必要がないため、端末能力送信によるシグナリングオーバーヘッドを低減することができる。
【０２３０】
送信しようとする端末能力によってマッピングされる能力識別子が第５の能力識別情報に属するか又は第４の能力識別情報に属さなければ、該端末能力及びそれによってマッピングされる能力識別子を同時に送信することができる。それにより第３の通信装置が端末の端末能力を取得することを実現する。
【０２３１】
図８を参照すると、図８は、本開示の実施例に係る能力管理方法のフローチャートその８である。本実施例の能力管理方法は、第４の通信装置に適用され、第４の通信装置は、端末と、ＣＮネットワーク要素と、ＲＡＮネットワーク要素とのうちの少なくとも１つを含んでよい。なお、本実施例は、図７に対応する方法の実施例に対応する第４の通信装置の実施形態であるため、本実施例の第４の通信装置は、図７に対応する方法の実施例における第３のターゲットであると理解することができる。
【０２３２】
図８に示すように、本実施例の能力管理方法は、以下のステップ８０１〜ステップ８０２を含むことができる。
【０２３３】
ステップ８０１では、第４の能力識別情報と、第５の能力識別情報とのうちの１つを含む第２の情報を取得する。
【０２３４】
上記第４の能力識別情報にはマッピングされる端末能力が存在し、上記第５の能力識別情報にはマッピングされる端末能力が存在しない。
【０２３５】
具体的に実現する場合、第２の情報を取得する上記ステップは、第４のターゲットから送信された第２の情報を第４のターゲットから受信するように表現されてよい。
【０２３６】
第４のターゲットは、端末と、ＣＮネットワーク要素と、ＲＡＮネットワーク要素とのうちの少なくとも１つを含んでよい。
【０２３７】
一実施形態では、第４の通信装置がＣＮネットワーク要素と表現されれば、第４のターゲットは、端末と、ＲＡＮネットワーク要素とのうちの少なくとも１つであってよい。第４の通信装置がＲＡＮネットワーク要素と表現されれば、第４のターゲットは、端末と、ＣＮネットワーク要素とのうちの少なくとも１つであってよい。
【０２３８】
なお、本実施例は、図７に対応する方法の実施例に対応する第４の通信装置の実施形態であるため、上記第４のターゲットは、図７に対応する方法の実施例における第３のターゲットである理解することができる。
【０２３９】
ステップ８０２では、上記第２の情報に基づいて、端末能力の第２の関連情報を送信する。
【０２４０】
本ステップでは、第４の通信装置は、第２の情報を取得した後に、第２の情報に基づいて、送信すべき端末能力の第２の関連情報を決定して送信することができる。
【０２４１】
好ましくは、上記端末能力の第２の関連情報は、能力識別情報と、端末能力とのうちの少なくとも１つを含む。
【０２４２】
なお、上記端末能力の第２の関連情報には、第５の能力識別情報及び第５の能力識別情報以外の能力識別情報、及び／又は、第５の能力識別情報及び第５の能力識別情報以外の能力識別情報によってマッピングされる端末能力が含まれてよい。
【０２４３】
好ましくは、端末能力の第２の関連情報は、
上記第４の能力識別情報、及び／又は
上記第５の能力識別情報及び上記第５の能力識別情報によってマッピングされる端末能力のうちの少なくとも１つを含んでよい。
【０２４４】
なお、第４の通信装置は、第５の能力識別子によってマッピングされる端末能力を有すれば、第４のターゲットに送信することができる。
【０２４５】
好ましくは、上記第２の情報に基づいて、端末能力の第２の関連情報を送信する上記ステップの前には、
第１の能力識別情報を取得するステップをさらに含む。
【０２４６】
第４の通信装置は、第１の能力識別情報を取得した後に、第２の情報に基づいて、端末能力の第２の関連情報のコンテンツを決定することができる。
【０２４７】
好ましくは、
第１の条件を満たす場合、上記端末能力の第２の関連情報は、上記第１の能力識別情報及び上記第１の能力識別情報によってマッピングされる端末能力を含むことと、
ここで、上記第１の条件は、第１の能力識別情報が第４の能力識別情報に属さない条件と、第１の能力識別情報が第５の能力識別情報に属する条件とのうちの少なくとも１つを含み、
第２の条件を満たす場合、上記端末能力の第２の関連情報は、上記第１の能力識別情報を含むことと、
ここで、上記第２の条件は、第１の能力識別情報が第４の能力識別情報に属する条件と、第１の能力識別情報が第５の能力識別情報に属さない条件とのうちの少なくとも１つを含み、
第３の条件を満たす場合、上記端末能力の第２の関連情報は、第３の能力識別情報、第２の能力識別情報及び前記第２の能力識別情報によってマッピングされる端末能力を含むことと、
ここで、上記第３の条件は、第３の能力識別情報が第４の能力識別情報に属する条件と、第３の能力識別情報が第５の能力識別情報に属さない条件と、第２の能力識別情報が第４の能力識別情報に属さない条件と、第２の能力識別情報が第５の能力識別情報に属する条件とのうちの少なくとも１つを含み、
のうちの少なくとも１つを含み、
上記第２の能力識別情報及び上記第３の能力識別情報は、第１の能力識別情報に属する。
【０２４８】
第２の能力識別情報が第４の能力識別情報に属さなければ、第２の能力識別情報は第５の能力識別情報に属する可能性があり、第５の能力識別情報に属さない可能性もあることを理解されたい。同様に、第２の能力識別情報が第５の能力識別情報に属さなければ、第２の能力識別情報は第４の能力識別情報に属する可能性があり、第４の能力識別情報に属さない可能性もある。
【０２４９】
第１の条件を満たすシーンで、第１の能力識別情報が第５の能力識別情報に属するか又は第４の能力識別情報に属さなければ、第４のターゲットには第１の能力識別情報によってマッピングされる端末能力が存在しないことを示すため、上記端末能力の第２の関連情報は、上記第１の能力識別情報及び上記第１の能力識別情報によってマッピングされる端末能力を含んでよい。
【０２５０】
第２の条件を満たすシーンで、第１の能力識別情報が第４の能力識別情報に属するか又は第５の能力識別情報に属さなければ、第４のターゲットには第１の能力識別情報によってマッピングされる端末能力が存在することを示すため、上記端末能力の第２の関連情報は、上記第１の能力識別情報を含み、第１の能力識別情報によってマッピングされる端末能力を含まないため、端末能力送信によるシグナリングオーバーヘッドを低減することができる。
【０２５１】
第１の能力識別情報が第５の能力識別情報に属するか又は第４の能力識別情報に属さなければ、第４のターゲットには第１の能力識別情報によってマッピングされる端末能力が存在しないことを示すため、上記端末能力の第２の関連情報は、上記第１の能力識別情報を含む上で、第１の能力識別情報によってマッピングされる端末能力をさらに含んでよい。
【０２５２】
第３の条件を満たすシーンで、第１の能力識別情報は、少なくとも２つの能力識別子を含む。第１の能力識別情報における第３の能力識別情報が第４の能力識別情報に属するか又は第５の能力識別情報に属さず、かつ第１の能力識別子における第２の能力識別情報が第４の能力識別情報に属さないか又は第５の能力識別情報に属すれば、第４のターゲットには第２の能力識別情報によってマッピングされる端末能力が存在せず、第３の能力識別情報によってマッピングされる端末能力が存在することを示すため、上記端末能力の第２の関連情報は、第３の能力識別情報、第２の能力識別情報及び上記第２の能力識別情報によってマッピングされる端末能力を含んでよく、第３の能力識別情報によってマッピングされる端末能力を含まないため、端末能力送信によるシグナリングオーバーヘッドを低減することができる。他の状況は同じ原理で導出することができるため、ここでは網羅しない。
【０２５３】
以上のことから分かるように、本実施例では、端末能力の送信に対して、第４の通信装置は、第４のターゲットにはマッピングされる端末能力が存在しない能力識別子によってマッピングされる端末能力のみを送信し、第４の対象端にはマッピングされる端末能力が存在する能力識別子によってマッピングされる端末能力を送信しないようにすることができるため、端末能力送信によるシグナリングオーバーヘッドを低減することができる。
【０２５４】
理解を容易にするために、以下のように例示的に説明する。
【０２５５】
一実施形態では、第１の能力識別情報は、端末の第１の能力識別情報である。上記端末は第４のターゲットにアクセスする必要がある。
【０２５６】
具体的には、第１の能力識別情報には第４のターゲットにおける、マッピングされる端末能力の能力識別情報が存在すれば、第４のターゲットに端末のコンテキストを送信する場合、第１の能力識別情報を含み、第１の端末能力情報によってマッピングされる端末能力を含まなくてよい。
【０２５７】
第１の能力識別情報には第４のターゲットにおける、マッピングされる端末能力の能力識別情報が存在しなければ、ターゲットに端末のコンテキストを送信する場合、端末能力の識別情報とマッピングされる端末能力情報を含んでよい。
【０２５８】
本実施例の能力管理方法では、第４の通信装置は、第４の能力識別情報と、第５の能力識別情報とのうちの１つを含む第２の情報を取得する。上記第２の情報に基づいて、端末能力の第２の関連情報を送信し、上記第４の能力識別情報にはマッピングされる端末能力が存在し、上記第５の能力識別情報にはマッピングされる端末能力が存在しないため、端末能力送信によるオーバーヘッドを低減することができる一方で、端末能力識別子によってマッピングされる端末能力の信頼性及び正確度を保証することができる。
【０２５９】
なお、本開示の実施例では、図７及び図８に対応する方法の実施例は、それぞれ独立して実現されてもよく、組み合わせて実現されてもよい。
【０２６０】
以下、実施例を組み合わせて図７及び図８に対応する方法の実施例について、実現するシーンを組合せて例に挙げて説明する。
【０２６１】
実施例５
【０２６２】
図９に示すように、本実施例の能力管理方法は、以下のステップ１〜ステップ２を含むことができる。
【０２６３】
ステップ１では、第１のネットワーク要素は第２のネットワーク要素に第２の情報を送信する。
【０２６４】
第１のネットワーク要素は、ＣＮネットワーク要素又はＲＡＮネットワーク要素であってよい。第２のネットワーク要素は、ＣＮネットワーク要素又はＲＡＮネットワーク要素であってよい。
【０２６５】
図９に示すように、本ステップでは、第２の情報には第４の能力識別情報及び第５の能力識別情報が含まれ、かつ第４の能力識別情報は能力識別子１、能力識別子２及び能力識別子３を含み、第５の能力識別情報は能力識別子４及び能力識別子５を含む。
【０２６６】
ステップ２では、第２のネットワーク要素は第１のネットワーク要素に端末能力の第２の関連情報を送信する。
【０２６７】
本実施例では、第２のネットワーク要素は、切り替え要求又はコンテキスト応答を送信する際に、端末能力の第２の関連情報を送信することができる。
【０２６８】
一実施形態では、ステップ１及びステップ２は非同期のプロセスである。ステップ２は、端末が第１のネットワーク要素にアクセスする場合、例えば、端末が第２のネットワーク要素から第１のネットワーク要素に切り替える場合に初めて発生する。第２のネットワーク要素は第１のネットワーク要素に端末コンテキストの応答メッセージを送信し、第２のネットワーク要素は第１のネットワーク要素に端末コンテキスト確立要求メッセージを送信する。端末の能力識別情報が能力識別子３及び能力識別子６であると仮定する。第２のネットワーク要素は、受信された第２の情報に基づいて、第１のネットワーク要素には能力識別子３によってマッピングされる端末能力が存在し、能力識別子６及び能力識別子６によってマッピングされる端末能力が存在しないことが分かるため、該適用シーンで、第２のネットワーク要素から送信される端末能力の第２の関連情報は、能力識別子３、能力識別子６及び能力識別子６によってマッピングされる端末能力を含んでよい。
【０２６９】
このように、端末能力の第２の関連情報には能力識別子３によってマッピングされる端末能力が含まなくてもよいため、端末能力送信によるシグナリングオーバーヘッドを低減することができる。
【０２７０】
実施例６
【０２７１】
図１０に示すように、本実施例の能力管理方法は、以下のステップ１〜ステップ２を含むことができる。
【０２７２】
ステップ１では、第１のネットワーク要素は第２のネットワーク要素に第２の情報を送信する。
【０２７３】
第１のネットワーク要素は、ＣＮネットワーク要素又はＲＡＮネットワーク要素であってよい。第２のネットワーク要素は、ＣＮネットワーク要素又はＲＡＮネットワーク要素であってよい。
【０２７４】
図１０に示すように、本ステップでは、第２の情報には第４の能力識別情報及び第５の能力識別情報が含まれ、かつ第４の能力識別情報は能力識別子１、能力識別子２及び能力識別子３を含み、第５の能力識別情報は能力識別子４及び能力識別子５を含む。
【０２７５】
ステップ２では、第２のネットワーク要素は第１のネットワーク要素に端末能力の第２の関連情報を送信する。
【０２７６】
本実施例では、第２の情報は、端末能力要求情報であると理解することができ、即ち、第１のネットワーク要素は能力識別子４によってマッピングされる端末能力と能力識別子５によってマッピングされる端末能力を第２のネットワーク要素に要求する。
【０２７７】
第２のネットワーク要素に能力識別子４によってマッピングされる端末能力と能力識別子５によってマッピングされる端末能力を有すると仮定する。端末能力の第２の関連情報は、能力識別子４、能力識別子４によってマッピングされる端末能力、能力識別子５及び能力識別子５によってマッピングされる端末能力を含んでよい。
【０２７８】
このように、第２のネットワーク要素は、能力識別子４によってマッピングされる端末能力と能力識別子５によってマッピングされる端末能力を第１のネットワーク要素に通知することができるため、第１のネットワーク要素の端末能力を補完することができる。
【０２７９】
図１１を参照すると、図１１は、本開示の実施例に係る通信装置の構成図その１である。本実施例の通信装置は上記方法の実施例における第１の通信装置である。図１１に示すように、通信装置１１００は、
要求された端末能力を指示する第１の指示情報を含む端末能力要求情報を受信する第１の受信モジュール１１０１と、
上記第１の指示情報に基づいて、端末能力の第１の関連情報を送信する第１の送信モジュール１１０２と、を含む。
【０２８０】
好ましくは、上記第１の指示情報は、第１の能力識別情報と、第２の能力識別情報と、第３の能力識別情報と、端末能力情報がないことを示す第２の指示情報と、端末能力情報がないことを特徴付けるヌル値とのうちの少なくとも１つを含み、
上記第２の能力識別情報は、上記第１の能力識別情報のうち、マッピングされる端末能力が存在しない能力識別情報であり、上記第３の能力識別情報は、上記第１の能力識別情報のうち、マッピングされる端末能力が存在する能力識別情報である。
【０２８１】
好ましくは、上記端末能力の第１の関連情報は、第１の能力識別情報によってマッピングされる端末能力、第２の能力識別情報によってマッピングされる端末能力、端末の端末能力のうちの少なくとも１つを含む。
【０２８２】
好ましくは、上記端末能力の第１の関連情報は、上記第１の能力識別情報と、上記第２の能力識別情報と、端末の端末能力によってマッピングされる能力識別情報とのうちの少なくとも１つをさらに含む。
【０２８３】
好ましくは、上記第１の指示情報が第１の能力識別情報を含む場合、上記端末能力の第１の関連情報は、上記第１の能力識別情報によってマッピングされる端末能力と、上記第１の能力識別情報とのうちの少なくとも１つを含み、及び／又は
上記第１の指示情報が第１の能力識別情報及び第３の能力識別情報を含み、及び／又は上記指示情報が第２の能力識別情報を含み、及び／又は上記指示情報が第３の能力識別情報を含む場合、上記端末能力の第１の関連情報は、第２の能力識別情報によってマッピングされる端末能力と、上記第２の能力識別情報とを少なくとも含み、及び／又は
上記第１の指示情報がヌル値及び／又は第２の指示情報を含む場合、上記端末能力の第１の関連情報は、端末の端末能力と、端末の端末能力によってマッピングされる能力識別情報と、第１の能力識別情報と、上記第１の能力識別情報によってマッピングされる端末能力とのうちの少なくとも１つを含む。
【０２８４】
通信装置１１００は、本開示の方法の実施例における第１の通信装置が実現する各プロセスを実現し、かつ同じ有益な効果を達成することができ、重複を避けるために、ここでは説明を省略する。
【０２８５】
図１２を参照すると、図１２は、本開示の実施例に係る通信装置の構成図その２である。本実施例の通信装置は上記方法の実施例における第２の通信装置である。図１２に示すように、通信装置１２００は、
第１の能力識別情報を含む第１の情報を取得する第１の取得モジュール１２０１と、
上記第１の能力識別情報に基づいて、要求された端末能力を指示する第１の指示情報を含む端末能力要求情報を送信する第２の送信モジュール１２０２と、を含む。
【０２８６】
好ましくは、第２の送信モジュール１２０２は、具体的には、
所定の条件を満たす場合、上記第１の能力識別情報に基づいて、端末能力要求情報を送信し、
上記所定の条件を満たすことは、
上記第１の能力識別情報によってマッピングされる端末能力が存在しないことと、
上記第１の能力識別情報のうちの第２の能力識別情報によってマッピングされる端末能力が存在しないこととのうちの少なくとも１つを含む。
【０２８７】
好ましくは、上記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
上記第３の能力識別情報は、上記第１の能力識別情報のうち、マッピングされる端末能力が存在する能力識別情報である。
【０２８８】
好ましくは、通信装置１２００は、
上記第１の能力識別情報に基づいて、端末能力要求情報を送信した後に、上記第１の指示情報に基づいて返された端末能力の第１の関連情報を受信する第２の受信モジュールをさらに含む。
【０２８９】
通信装置１２００は、本開示の方法の実施例における第２の通信装置が実現する各プロセスを実現し、かつ同じ有益な効果を達成することができ、重複を避けるために、ここでは説明を省略する。
【０２９０】
図１３を参照すると、図１３は、本開示の実施例に係る通信装置の構成図その３である。本実施例の通信装置は上記方法の実施例における第３の通信装置である。図１３に示すように、通信装置１３００は、
第４の能力識別情報と、第５の能力識別情報とのうちの１つを含む第２の情報を送信する第３の送信モジュール１３０１を含み、
上記第４の能力識別情報にはマッピングされる端末能力が存在し、上記第５の能力識別情報にはマッピングされる端末能力が存在しない。
【０２９１】
通信装置１３００は、本開示の方法の実施例における第３の通信装置が実現する各プロセスを実現し、かつ同じ有益な効果を達成することができ、重複を避けるために、ここでは説明を省略する。
【０２９２】
図１４を参照すると、図１４は、本開示の実施例に係る通信装置の構成図その４である。本実施例の通信装置は上記方法の実施例における第４の通信装置である。図１４に示すように、通信装置１４００は、
第４の能力識別情報と、第５の能力識別情報とのうちの１つを含む第２の情報を取得する第２の取得モジュール１４０１と、
上記第２の情報に基づいて、端末能力の第２の関連情報を送信する第４の送信モジュール１４０２と、を含み、
上記第４の能力識別情報にはマッピングされる端末能力が存在し、上記第５の能力識別情報にはマッピングされる端末能力が存在しない。
【０２９３】
好ましくは、上記端末能力の第２の関連情報は、能力識別情報、端末能力のうちの少なくとも１つを含む。
【０２９４】
好ましくは、上記端末能力の第２の関連情報は、
上記第４の能力識別情報、及び／又は
上記第５の能力識別情報及び上記第５の能力識別情報によってマッピングされる端末能力を含む。
【０２９５】
好ましくは、通信装置１４００は、
上記第２の情報に基づいて、端末能力の第２の関連情報を送信する前に、第１の能力識別情報を取得する第３の取得モジュールをさらに含む。
【０２９６】
好ましくは、
第１の条件を満たす場合、上記端末能力の第２の関連情報は、上記第１の能力識別情報及び上記第１の能力識別情報によってマッピングされる端末能力を含むことと、
ここで、上記第１の条件は、第１の能力識別情報が第４の能力識別情報に属さない条件と、第１の能力識別情報が第５の能力識別情報に属する条件とのうちの少なくとも１つを含み、
第２の条件を満たす場合、上記端末能力の第２の関連情報は、上記第１の能力識別情報を含むことと、
ここで、上記第２の条件は、第１の能力識別情報が第４の能力識別情報に属する条件と、第１の能力識別情報が第５の能力識別情報に属さない条件とのうちの少なくとも１つを含み、
第３の条件を満たす場合、上記端末能力の第２の関連情報は、第３の能力識別情報、第２の能力識別情報及び上記第２の能力識別情報によってマッピングされる端末能力を含むことと、
ここで、上記第３の条件は、第３の能力識別情報が第４の能力識別情報に属する条件と、第３の能力識別情報が第５の能力識別情報に属さない条件と、第２の能力識別情報が第４の能力識別情報に属さない条件と、第２の能力識別情報が第５の能力識別情報に属する条件とのうちの少なくとも１つを含み、
のうちの少なくとも１つを含み、
上記第２の能力識別情報及び上記第３の能力識別情報は、第１の能力識別情報に属する。
【０２９７】
通信装置１４００は、本開示の方法の実施例における第４の通信装置が実現する各プロセスを実現し、かつ同じ有益な効果を達成することができ、重複を避けるために、ここでは説明を省略する。
【０２９８】
図１５を参照すると、図１５は、本開示の実施例に係る通信装置の構成図その５である。図１５に示すように、通信装置１５００は、メモリ１５０１と、プロセッサ１５０２と、メモリ１５０１に記憶され、プロセッサ１５０２上で実行可能なコンピュータプログラム１５０１１と、を含む。
【０２９９】
通信装置１５００が上記方法の実施例における第１の通信装置と表現される場合、コンピュータプログラム１５０１１は、プロセッサ１５０２によって実行されると、
要求された端末能力を指示する第１の指示情報を含む端末能力要求情報を受信するステップと、
上記第１の指示情報に基づいて、端末能力の第１の関連情報を送信するステップと、を実現する。
【０３００】
好ましくは、上記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
上記第２の能力識別情報は、上記第１の能力識別情報のうち、マッピングされる端末能力が存在しない能力識別情報であり、上記第３の能力識別情報は、上記第１の能力識別情報のうち、マッピングされる端末能力が存在する能力識別情報である。
【０３０１】
好ましくは、上記端末能力の第１の関連情報は、第１の能力識別情報によってマッピングされる端末能力と、第２の能力識別情報によってマッピングされる端末能力と、端末の端末能力とのうちの少なくとも１つを含む。
【０３０２】
好ましくは、上記端末能力の第１の関連情報は、上記第１の能力識別情報と、上記第２の能力識別情報と、端末の端末能力によってマッピングされる能力識別情報とのうちの少なくとも１つをさらに含む。
【０３０３】
好ましくは、上記第１の指示情報が第１の能力識別情報を含む場合、上記端末能力の第１の関連情報は、上記第１の能力識別情報によってマッピングされる端末能力と、上記第１の能力識別情報とのうちの少なくとも１つを含み、及び／又は
上記第１の指示情報が第１の能力識別情報及び第３の能力識別情報を含み、及び／又は上記第１の指示情報が第２の能力識別情報を含み、及び／又は上記指示情報が第３の能力識別情報を含む場合、上記端末能力の第１の関連情報は、第２の能力識別情報によってマッピングされる端末能力と、上記第２の能力識別情報とを少なくとも含み、及び／又は
上記第１の指示情報がヌル値及び／又は第２の指示情報を含む場合、上記端末能力の第１の関連情報は、端末の端末能力と、端末の端末能力によってマッピングされる能力識別情報と、第１の能力識別情報と、上記第１の能力識別情報によってマッピングされる端末能力とのうちの少なくとも１つを含む。
【０３０４】
通信装置１５００が上記方法の実施例における第２の通信装置と表現される場合、コンピュータプログラム１５０１１は、プロセッサ１５０２によって実行されると、
第１の能力識別情報を含む第１の情報を取得するステップと、
上記第１の能力識別情報に基づいて、要求された端末能力を指示する第１の指示情報を含む端末能力要求情報を送信するステップと、を実現する。
【０３０５】
好ましくは、コンピュータプログラム１５０１１は、プロセッサ１５０２によって実行されると、
所定の条件を満たす場合、上記第１の能力識別情報に基づいて、端末能力要求情報を送信するステップをさらに実現することができ、
上記所定の条件を満たすことは、
上記第１の能力識別情報によってマッピングされる端末能力が存在しないことと、
上記第１の能力識別情報のうちの第２の能力識別情報によってマッピングされる端末能力が存在しないこととのうちの少なくとも１つを含む。
【０３０６】
好ましくは、上記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
上記第３の能力識別情報は、上記第１の能力識別情報のうち、マッピングされる端末能力が存在する能力識別情報である。
【０３０７】
好ましくは、コンピュータプログラム１５０１１は、プロセッサ１５０２によって実行されると、
上記第１の能力識別情報に基づいて、端末能力要求情報を送信した後に、上記第１の指示情報に基づいて返された端末能力の第１の関連情報を受信するステップをさらに実現することができる。
【０３０８】
通信装置１５００が上記方法の実施例における第３の通信装置と表現される場合、コンピュータプログラム１５０１１は、プロセッサ１５０２によって実行されると、
第４の能力識別情報と、第５の能力識別情報とのうちの１つを含む第２の情報を送信するステップを実現し、
上記第４の能力識別情報にはマッピングされる端末能力が存在し、上記第５の能力識別情報にはマッピングされる端末能力が存在しない。
【０３０９】
通信装置１５００が上記方法の実施例における第４の通信装置と表現される場合、コンピュータプログラム１５０１１は、プロセッサ１５０２によって実行されると、
第４の能力識別情報と、第５の能力識別情報とのうちの１つを含む第２の情報を取得するステップと、
上記第２の情報に基づいて、端末能力の第２の関連情報を送信するステップと、を実現し、
上記第４の能力識別情報にはマッピングされる端末能力が存在し、上記第５の能力識別情報にはマッピングされる端末能力が存在しない。
【０３１０】
好ましくは、上記端末能力の第２の関連情報は、能力識別情報と、端末能力とのうちの少なくとも１つを含む。
【０３１１】
好ましくは、上記端末能力の第２の関連情報は、
上記第４の能力識別情報、及び／又は
上記第５の能力識別情報及び上記第５の能力識別情報によってマッピングされる端末能力を含む。
【０３１２】
好ましくは、
第１の条件を満たす場合、上記端末能力の第２の関連情報は、上記第１の能力識別情報及び上記第１の能力識別情報によってマッピングされる端末能力を含むことと、
ここで、上記第１の条件は、第１の能力識別情報が第４の能力識別情報に属さない条件と、第１の能力識別情報が第５の能力識別情報に属する条件とのうちの少なくとも１つを含み、
第２の条件を満たす場合、上記端末能力の第２の関連情報は、上記第１の能力識別情報を含むことと、
ここで、上記第２の条件は、第１の能力識別情報が第４の能力識別情報に属する条件と、第１の能力識別情報が第５の能力識別情報に属さない条件とのうちの少なくとも１つを含み、
第３の条件を満たす場合、上記端末能力の第２の関連情報は、第３の能力識別情報、第２の能力識別情報及び上記第２の能力識別情報によってマッピングされる端末能力を含むことと、
ここで、上記第３の条件は、第３の能力識別情報が第４の能力識別情報に属する条件と、第３の能力識別情報が第５の能力識別情報に属さない条件と、第２の能力識別情報が第４の能力識別情報に属さない条件と、第２の能力識別情報が第５の能力識別情報に属する条件とのうちの少なくとも１つを含み、
のうちの少なくとも１つを含み、
上記第２の能力識別情報及び上記第３の能力識別情報は、第１の能力識別情報に属する。
【０３１３】
通信装置１５００は、上記方法の実施例における通信装置によって実現される各プロセスを実現することができ、重複を避けるために、ここでは説明を省略する。
【０３１４】
本開示の実施例は、プロセッサによって実行されると、上記能力管理方法の実施例の各プロセスを実現し、かつ同じ技術的効果を達成できるコンピュータプログラムが記憶されているコンピュータ読み取り可能な記憶媒体をさらに提供し、重複を避けるために、ここでは説明を省略する。上記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスクなどであってよい。
【０３１５】
なお、本明細書において、用語「含む」、「備える」又はそれらの任意の変形は、非排他的に含むことをカバーするものであることにより、一連の要素を含むプロセス、方法、物品又は装置は、それらの要素を含むだけでなく、明確に例示されていない他の要素をさらに含むか、又はこれらのプロセス、方法、物品又は装置固有の要素をさらに含む。更なる限定がない限り、語句「．．．を含む」により限定された要素は、該要素を含むプロセス、方法、物品又は装置に別の同一の要素がさらに存在する可能性がある。
【０３１６】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。ハードウェアは、電子回路、専用の集積回路、プログラマブルロジックデバイス、プログラマブルなプロセッサなどを含むが、これらに限定されない。
【０３１７】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに、その他種々の態様が可能であり、これらは、いずれも本開示の保護範囲内に属する。
【符号の説明】
【０３１８】
1100  通信装置
1101  第１の受信モジュール
1102  第１の送信モジュール
1200  通信装置
1201  第１の取得モジュール
1202  第２の送信モジュール
1300  通信装置
1301  第３の送信モジュール
1400  通信装置
1401  第２の取得モジュール
1402  第４の送信モジュール
1500  通信装置
1501  メモリ
1502  プロセッサ
15010  コンピュータプログラム
【図１】
2021533625.tif 000003
【図２】
2021533625.tif 000004
【図３】
2021533625.tif 000005
【図４】
2021533625.tif 000006
【図５】
2021533625.tif 000007
【図６】
2021533625.tif 000008
【図７】
2021533625.tif 000009
【図８】
2021533625.tif 000010
【図９】
2021533625.tif 000011
【図１０】
2021533625.tif 000012
【図１１】
2021533625.tif 000013
【図１２】
2021533625.tif 000014
【図１３】
2021533625.tif 000015
【図１４】
2021533625.tif 000016
【図１５】
2021533625.tif 000017
【手続補正書】
【提出日】令和3年1月29日(2021.1.29)
【手続補正１】
【補正対象書類名】明細書
【補正対象項目名】００１３
【補正方法】変更
【補正の内容】
【００１３】
第７の態様では、本開示の実施例に係る第３の通信装置は、
第４の能力識別情報と、第５の能力識別情報とのうちの１つを含む第２の情報を送信する第３の送信モジュールを含み、
前記第４の能力識別情報にはマッピングされる端末能力が存在し、前記第５の能力識別情報にはマッピングされる端末能力が存在しない。
【手続補正２】
【補正対象書類名】明細書
【補正対象項目名】００６３
【補正方法】変更
【補正の内容】
【００６３】
本開示の実施例では、「カード」は、ＵＩＣＣ、ＳＩＭ（Ｓｕｂｓｃｒｉｂｅｒ  Ｉｄｅｎｔｉｔｙ  Ｍｏｄｕｌｅ）、ｅＳＩＭ及びｅＵＩＣＣであってよいが、これらに限定されない。カードは、エンティティカードであってよい。さらに、第Ｎのカードは、サービスネットワークのカードを第Ｎのカードスロットに設置することを表すことができる。メインカードは、サービスネットワークのカードをメインカードスロットに設置することを表すことができ、サブカードは、サービスネットワークのカードをサブカードスロットに設置することを表すことができる。カード位置情報は、カードスロット情報と呼ばれてよい。
【手続補正３】
【補正対象書類名】明細書
【補正対象項目名】００７２
【補正方法】変更
【補正の内容】
【００７２】
三、アーキテクチャについて
【手続補正４】
【補正対象書類名】明細書
【補正対象項目名】００７４
【補正方法】変更
【補正の内容】
【００７４】
四、通信装置について
【手続補正５】
【補正対象書類名】明細書
【補正対象項目名】００７９
【補正方法】変更
【補正の内容】
【００７９】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、ＬＴＥにおける進化型基地局（ｅＮＢ又はｅ−ＮｏｄｅＢ、ｅｖｏｌｅｄ  ＮｏｄｅＢ）及び５Ｇ基地局（ｇＮＢ）であってもよく、本開示の実施例では限定されない。
【手続補正６】
【補正対象書類名】明細書
【補正対象項目名】０１２７
【補正方法】変更
【補正の内容】
【０１２７】
第２のターゲットは、端末と、ＣＮネットワーク要素と、ＲＡＮネットワーク要素とのうちの少なくとも１つを含んでよい。一実施形態では、第２の通信装置がＣＮネットワーク要素と表現されれば、第２のターゲットは、端末と、ＲＡＮネットワーク要素とのうちの少なくとも１つであってよい。第２の通信装置がＲＡＮネットワーク要素と表現されれば、第２のターゲットは、端末と、ＣＮネットワーク要素とのうちの少なくとも１つであってよい。
【手続補正７】
【補正対象書類名】明細書
【補正対象項目名】０２５６
【補正方法】変更
【補正の内容】
【０２５６】
具体的には、第１の能力識別情報には第４のターゲットにおける、マッピングされる端末能力の能力識別情報が存在すれば、第４のターゲットに端末のコンテキストを送信する場合、第１の能力識別情報を含み、第１の能力情報によってマッピングされる端末能力を含まなくてよい。
【手続補正８】
【補正対象書類名】明細書
【補正対象項目名】０２５７
【補正方法】変更
【補正の内容】
【０２５７】
第１の能力識別情報には第４のターゲットにおける、マッピングされる端末能力の能力識別情報が存在しなければ、第４のターゲットに端末のコンテキストを送信する場合、端末能力の識別情報とマッピングされる端末能力情報を含んでよい。
【手続補正９】
【補正対象書類名】明細書
【補正対象項目名】０２８３
【補正方法】変更
【補正の内容】
【０２８３】
好ましくは、上記第１の指示情報が第１の能力識別情報を含む場合、上記端末能力の第１の関連情報は、上記第１の能力識別情報によってマッピングされる端末能力と、上記第１の能力識別情報とのうちの少なくとも１つを含み、及び／又は
上記第１の指示情報が第１の能力識別情報及び第３の能力識別情報を含み、及び／又は上記第１の指示情報が第２の能力識別情報を含み、及び／又は上記第１の指示情報が第３の能力識別情報を含む場合、上記端末能力の第１の関連情報は、第２の能力識別情報によってマッピングされる端末能力と、上記第２の能力識別情報とを少なくとも含み、及び／又は
上記第１の指示情報がヌル値及び／又は第２の指示情報を含む場合、上記端末能力の第１の関連情報は、端末の端末能力と、端末の端末能力によってマッピングされる能力識別情報と、第１の能力識別情報と、上記第１の能力識別情報によってマッピングされる端末能力とのうちの少なくとも１つを含む。
【手続補正１０】
【補正対象書類名】特許請求の範囲
【補正対象項目名】全文
【補正方法】変更
【補正の内容】
【特許請求の範囲】
【請求項１】
第１の通信装置に適用される能力管理方法であって、
要求された端末能力を指示する第１の指示情報を含む端末能力要求情報を受信することと、
前記第１の指示情報に基づいて、端末能力の第１の関連情報を送信することと、を含む能力管理方法。
【請求項２】
前記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
前記第２の能力識別情報は、前記第１の能力識別情報のうち、マッピングされる端末能力が存在しない能力識別情報であり、前記第３の能力識別情報は、前記第１の能力識別情報のうち、マッピングされる端末能力が存在する能力識別情報である、請求項１に記載の能力管理方法。
【請求項３】
前記端末能力の第１の関連情報は、第１の能力識別情報によってマッピングされる端末能力と、第２の能力識別情報によってマッピングされる端末能力と、端末の端末能力とのうちの少なくとも１つを含む、請求項１に記載の能力管理方法。
【請求項４】
前記端末能力の第１の関連情報は、前記第１の能力識別情報と、前記第２の能力識別情報と、端末の端末能力によってマッピングされる能力識別情報とのうちの少なくとも１つをさらに含む、請求項３に記載の能力管理方法。
【請求項５】
前記第１の指示情報が第１の能力識別情報を含む場合、前記端末能力の第１の関連情報は、前記第１の能力識別情報によってマッピングされる端末能力と、前記第１の能力識別情報とのうちの少なくとも１つを含み、及び／又は
前記第１の指示情報が第１の能力識別情報及び第３の能力識別情報を含み、及び／又は前記第１の指示情報が第２の能力識別情報を含み、及び／又は前記第１の指示情報が第３の能力識別情報を含む場合、前記端末能力の第１の関連情報は、第２の能力識別情報によってマッピングされる端末能力と、前記第２の能力識別情報とを少なくとも含み、及び／又は
前記第１の指示情報がヌル値及び／又は第２の指示情報を含む場合、前記端末能力の第１の関連情報は、端末の端末能力と、端末の端末能力によってマッピングされる能力識別情報と、第１の能力識別情報と、前記第１の能力識別情報によってマッピングされる端末能力とのうちの少なくとも１つを含む、請求項２に記載の能力管理方法。
【請求項６】
第２の通信装置に適用される能力管理方法であって、
第１の能力識別情報を含む第１の情報を取得することと、
前記第１の能力識別情報に基づいて、要求された端末能力を指示する第１の指示情報を含む端末能力要求情報を送信することと、を含む能力管理方法。
【請求項７】
前記の前記第１の能力識別情報に基づいて、端末能力要求情報を送信することは、
所定の条件を満たす場合、前記第１の能力識別情報に基づいて、端末能力要求情報を送信することを含み、
前記の所定の条件を満たすことは、
前記第１の能力識別情報によってマッピングされる端末能力が存在しないことと、
前記第１の能力識別情報のうちの第２の能力識別情報によってマッピングされる端末能力が存在しないこととのうちの少なくとも１つを含む、請求項６に記載の能力管理方法。
【請求項８】
前記第１の指示情報は、第１の能力識別情報と、第２の能力識別情報と、第３の能力識別情報と、端末能力情報がないことを示す第２の指示情報と、端末能力情報がないことを特徴付けるヌル値と、のうちの少なくとも１つを含み、
前記第３の能力識別情報は、前記第１の能力識別情報のうち、マッピングされる端末能力が存在する能力識別情報である、請求項６に記載の能力管理方法。
【請求項９】
前記の第１の能力識別情報に基づいて、端末能力要求情報を送信することの後には、
前記第１の指示情報に基づいて返された端末能力の第１の関連情報を受信することをさらに含む、請求項６に記載の能力管理方法。
【請求項１０】
要求された端末能力を指示する第１の指示情報を含む端末能力要求情報を受信する第１の受信モジュールと、
前記第１の指示情報に基づいて、端末能力の第１の関連情報を送信する第１の送信モジュールと、を含む第１の通信装置。
【請求項１１】
第１の能力識別情報を含む第１の情報を取得する第１の取得モジュールと、
前記第１の能力識別情報に基づいて、要求された端末能力を指示する第１の指示情報を含む端末能力要求情報を送信する第２の送信モジュールと、を含む第２の通信装置。
【請求項１２】
前記の前記第１の能力識別情報に基づいて、端末能力要求情報を送信することは、
所定の条件を満たす場合、前記第１の能力識別情報に基づいて、端末能力要求情報を送信することを含み、
前記の所定の条件を満たすことは、
前記第１の能力識別情報によってマッピングされる端末能力が存在しないことと、
前記第１の能力識別情報のうちの第２の能力識別情報によってマッピングされる端末能力が存在しないこととのうちの少なくとも１つを含む、請求項１１に記載の第２の通信装置。
【請求項１３】
コンピュータプログラムが記憶されているコンピュータ読み取り可能な記憶媒体であって、
前記コンピュータプログラムがプロセッサによって実行されると、請求項１〜５のいずれか１項に記載の能力管理方法、又は請求項６〜９のいずれか１項に記載の能力管理方法が実現される、コンピュータ読み取り可能な記憶媒体。
【国際調査報告】
2021533625.tif 000018
2021533625.tif 000019
2021533625.tif 000020
2021533625.tif 000021